(57)【要約】  本発明の実施形態は、周波数ホッピングに使用する物理チャネルをアンライセンス周波数帯の狭帯域システムにおいて決定するべく、周波数ホッピング通信方法およびデバイスを提供する。本発明のこの実施形態の方法は、端末デバイスが、基地局から複数の仮想チャネルインデックスを受信する段階と、端末デバイスが、前記複数の仮想チャネルインデックスから仮想チャネルインデックスを選択する段階と、端末デバイスが、複数のサブフレームにおける当該仮想チャネルインデックスに対応する物理チャネルを当該仮想チャネルインデックスに基づいて決定する段階であって、複数のサブフレームにおける当該仮想チャネルインデックスに対応する物理チャネルのうちの少なくとも２つが異なる、決定する段階と、端末デバイスが、当該仮想チャネルインデックスに対応する物理チャネルを使用して、複数のサブフレームのうちの少なくとも１つにおいて、基地局と通信する段階とを備える。
2019536378.tif 000002
【特許請求の範囲】
【請求項１】
周波数ホッピング通信方法であって、
端末デバイスが、基地局から複数の仮想チャネルインデックスを受信する段階と、
前記端末デバイスが、前記複数の仮想チャネルインデックスから仮想チャネルインデックスを選択する段階と、
前記端末デバイスが、複数のサブフレームにおける前記仮想チャネルインデックスに対応する物理チャネルを、前記仮想チャネルインデックスに基づいて決定する段階であって、前記複数のサブフレームにおける前記仮想チャネルインデックスに対応する前記物理チャネルのうちの少なくとも２つが異なる、決定する段階と、
前記端末デバイスが、前記複数のサブフレームのうちの少なくとも１つにおける前記仮想チャネルインデックスに対応する物理チャネルを使用して、前記基地局と通信する段階と
を備える
方法。
【請求項２】
前記端末デバイスが、物理セル識別子、システムチャネル数の構成パラメータ、フレーム番号、サブフレーム番号、もしくはスーパーフレーム番号のうちの１つまたはそれらの任意の組み合わせと前記仮想チャネルインデックスとに基づいて、前記複数のサブフレームにおける前記仮想チャネルインデックスに対応する前記物理チャネルをさらに決定する段階を備える
請求項１に記載の方法。
【請求項３】
前記複数のサブフレームにおける前記複数の仮想チャネルインデックスに対応する前記物理チャネルにおいて、隣接する２つのサブフレームにおける同一の仮想チャネルインデックスに対応する物理チャネルは異なることをさらに備える、
請求項１に記載の方法。
【請求項４】
端末デバイスが、基地局から複数の仮想チャネルインデックスを受信する前記段階は、
前記端末デバイスが、ブロードキャストメッセージまたは専用メッセージを使用して前記基地局から前記複数の仮想チャネルインデックスを受信する段階を有する、
請求項１に記載の方法。
【請求項５】
周波数ホッピング通信方法であって、
基地局が、生成された複数の仮想チャネルインデックスを送信する段階と、
前記基地局が、前記複数の仮想チャネルインデックスの中のいずれかの仮想チャネルインデックスＤについて、前記複数のサブフレームの各々における前記Ｄに対応する物理チャネルを、前記Ｄに基づいて決定する段階であって、異なるサブフレームにおける前記Ｄに対応する前記物理チャネルのうちの少なくとも２つが異なる、決定する段階と、
前記基地局が、前記複数の仮想チャネルインデックスのうちの１つである、端末デバイスが選択する仮想チャネルインデックスを決定する段階と、
前記基地局が、前記複数のサブフレームのうちの少なくとも１つにおける前記仮想チャネルインデックスに対応する前記物理チャネルを使用して、前記端末デバイスと通信する段階と
を備える
方法。
【請求項６】
前記基地局が、前記複数の仮想チャネルインデックスの各々に基づいて、サブフレームにおける各仮想チャネルインデックスに対応する物理チャネルを決定する段階であって、前記サブフレームにおける前記複数の仮想チャネルインデックスのうちの任意の２つに対応する前記物理チャネルは異なる、決定する段階
をさらに備える
請求項５に記載の方法。
【請求項７】
前記基地局が、前記複数の仮想チャネルインデックスの各々に基づいて、前記複数の仮想チャネルインデックスの各々に対応するサブフレーム群を決定する段階と、
前記基地局が、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定する段階であって、同一サブフレームにおける前記複数の仮想チャネルインデックスのうちの任意の２つに対応する物理チャネルは異なる、決定する段階と
をさらに備える
請求項６に記載の方法。
【請求項８】
前記基地局が、物理セル識別子、システムチャネル数の構成パラメータ、フレーム番号、サブフレーム番号、もしくはスーパーフレーム番号のうちの１つまたはそれらの任意の組み合わせと前記仮想チャネルインデックスとに基づいて、前記複数のサブフレームにおける全ての前記複数の仮想チャネルインデックスに対応する前記物理チャネルをさらに決定する段階
を備える
請求項５または６に記載の方法。
【請求項９】
前記複数のサブフレームにおける前記複数の仮想チャネルインデックスに対応する前記物理チャネルにおいて、隣接する２つのサブフレームにおける同一の仮想チャネルインデックスに対応する前記物理チャネルは異なることをさらに備える、
請求項５または６に記載の方法。
【請求項１０】
基地局が、生成された複数の仮想チャネルインデックスを端末デバイスに送信する前記段階は、
前記基地局が、ブロードキャストメッセージまたは専用メッセージを使用して、前記生成された複数の仮想チャネルインデックスを前記端末デバイスに送信する段階を有する、
請求項５または６に記載の方法。
【請求項１１】
周波数ホッピング通信方法であって、
基地局が、生成された複数の仮想チャネルインデックスを送信する段階と、
前記基地局が、前記複数の仮想チャネルインデックスの各々に基づいて、サブフレームにおける各仮想チャネルインデックスに対応する物理チャネルを決定する段階であって、前記サブフレームにおける前記複数の仮想チャネルインデックスのうちの任意の２つに対応する前記物理チャネルは異なる、決定する段階と、
前記基地局が、前記複数の仮想チャネルインデックスのうちの１つである、端末デバイスが選択する仮想チャネルインデックスを決定する段階と、
前記基地局が、前記仮想チャネルインデックスに対応する前記物理チャネルを使用して、前記サブフレームにおいて前記端末デバイスと通信する段階と
を備える
方法。
【請求項１２】
前記基地局が、前記複数の仮想チャネルインデックスの各々に基づいて、前記複数の仮想チャネルインデックスの各々に対応するサブフレーム群を決定する段階と、
前記基地局が、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定する段階であって、同一サブフレームにおける前記複数の仮想チャネルインデックスのうちの任意の２つに対応する物理チャネルは異なる、決定する段階と
をさらに備える
請求項１１に記載の方法。
【請求項１３】
前記複数の仮想チャネルインデックスの中のいずれかの仮想チャネルインデックスＤについて、異なるサブフレームにおける前記Ｄに対応する前記物理チャネルのうちの少なくとも２つが異なることをさらに備える、
請求項１１または１２に記載の方法。
【請求項１４】
複数の前記サブフレームにおける前記複数の仮想チャネルインデックスに対応する前記物理チャネルにおいて、隣接する２つのサブフレームにおける同一の仮想チャネルインデックスに対応する物理チャネルは異なることをさらに備える、
請求項１１または１２に記載の方法。
【請求項１５】
前記基地局が、前記Ｚの中の任意のサブフレームにおける前記Ｄに対応する物理チャネルを、物理セル識別子、システムチャネル数の構成パラメータ、サブフレーム番号、もしくはスーパーフレーム番号のうちの１つまたはそれらの任意の組み合わせと前記Ｄとに基づいてさらに決定する段階
をさらに備える
請求項１１または１２に記載の方法。
【請求項１６】
基地局が、生成された複数の仮想チャネルインデックスを送信する前記段階は、前記基地局が、ブロードキャストメッセージまたは専用メッセージを使用して、前記生成された複数の仮想チャネルインデックスを送信する段階を有する、
請求項１１または１２に記載の方法。
【請求項１７】
基地局から複数の仮想チャネルインデックスを受信するよう構成される送受信ユニットと、
前記複数の仮想チャネルインデックスから仮想チャネルインデックスを選択し、複数のサブフレームにおける前記仮想チャネルインデックスに対応する物理チャネルを、前記仮想チャネルインデックスに基づいて決定するよう構成される処理ユニットであって、前記複数のサブフレームにおける前記仮想チャネルインデックスに対応する前記物理チャネルのうちの少なくとも２つが異なる、処理ユニットと
を備え、
前記送受信ユニットはさらに、前記仮想チャネルインデックスに対応する前記物理チャネルを使用して、前記複数のサブフレームのうちの少なくとも１つにおいて前記基地局と通信するよう構成される、
端末デバイス。
【請求項１８】
前記送受信ユニットは具体的に、
ブロードキャストメッセージまたは専用メッセージを使用して前記基地局から前記複数の仮想チャネルインデックスを受信するよう構成される、
請求項１７に記載の端末デバイス。
【請求項１９】
生成された複数の仮想チャネルインデックスを送信するよう構成される送受信ユニットと、
前記複数の仮想チャネルインデックスの中のいずれかの仮想チャネルインデックスＤについて、前記複数のサブフレームの各々における前記Ｄに対応する物理チャネルを、前記Ｄに基づいて決定し、前記複数の仮想チャネルインデックスのうちの１つである、端末デバイスが選択する仮想チャネルインデックスを決定するよう構成される処理ユニットであって、異なるサブフレームにおける前記Ｄに対応する前記物理チャネルのうちの少なくとも２つが異なる、処理ユニットと
を備え、
前記送受信ユニットはさらに、前記仮想チャネルインデックスに対応する前記物理チャネルを使用して、前記複数のサブフレームのうちの少なくとも１つにおいて、前記端末デバイスと通信するよう構成される、
基地局。
【請求項２０】
前記処理ユニットはさらに、
前記複数の仮想チャネルインデックスの各々に基づいて、サブフレームにおける各仮想チャネルインデックスに対応する物理チャネルを決定するよう構成され、前記サブフレームにおける前記複数の仮想チャネルインデックスのうちの任意の２つに対応する前記物理チャネルは異なる、
請求項１９に記載の基地局。
【請求項２１】
前記処理ユニットはさらに、
前記複数の仮想チャネルインデックスの各々に対応するサブフレーム群に基づいて、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定するよう構成され、同一サブフレームにおける前記複数の仮想チャネルインデックスのうちの任意の２つに対応する物理チャネルは異なる、
請求項１９に記載の基地局。
【請求項２２】
生成された複数の仮想チャネルインデックスを送信するよう構成される送受信ユニットと、
前記複数の仮想チャネルインデックスの各々に基づいて、サブフレームにおける各仮想チャネルインデックスに対応する物理チャネルを決定し、前記複数の仮想チャネルインデックスのうちの１つである、前記端末デバイスが選択する仮想チャネルインデックスを決定するよう構成される処理ユニットであって、前記サブフレームにおける前記複数の仮想チャネルインデックスのうちの任意の２つに対応する前記物理チャネルは異なる、処理ユニットと
を備え、
前記送受信ユニットはさらに、前記仮想チャネルインデックスに対応する前記物理チャネルを使用して、前記サブフレームにおいて前記端末デバイスと通信するよう構成される、
基地局。
【請求項２３】
前記処理ユニットはさらに、
前記複数の仮想チャネルインデックスの各々に対応するサブフレーム群に基づいて、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定するよう構成され、同一サブフレームにおける前記複数の仮想チャネルインデックスのうちの任意の２つに対応する物理チャネルは異なる、
請求項２２に記載の基地局。
【請求項２４】
前記複数の仮想チャネルインデックスの中のいずれかの仮想チャネルインデックスＤについて、異なるサブフレームにおける前記Ｄに対応する前記物理チャネルのうちの少なくとも２つが異なる、
請求項２２に記載の基地局。
【請求項２５】
前記送受信モジュールはさらに、ブロードキャストメッセージまたは専用メッセージを使用して、前記生成された複数の仮想チャネルインデックスを送信するよう構成される、
請求項２２に記載の基地局。
【発明の詳細な説明】
【技術分野】
【０００１】
本出願は、「周波数ホッピング通信方法およびデバイス」と題する２０１６年１１月２９日に中国特許庁に出願された中国特許出願第２０１６１１０７１９０５．３号に基づく優先権を主張し、当該出願は、その全体が参照により本明細書に組み込まれる。
【０００２】
本発明は、通信分野に関し、具体的には、周波数ホッピング通信方法およびデバイスに関する。
【背景技術】
【０００３】
モバイルインターネット業界およびモノのインターネット業界は急速に発展してきており、モノのインターネットのネットワークデバイスは低コストで、展開が容易で、保守不要である。企業市場において、企業のモノのインターネットについての主な通信要件は、少量データおよび大量接続である。事業者のライセンス周波数帯と比べ、アンライセンス周波数帯、特にサブＧＨｚ帯、は、ネットワークコストを効果的に低減することができる。したがって、アンライセンス周波数帯に基づく狭帯域通信システムが要件を満たすことができる。
【０００４】
各国の各地域では、アンライセンス周波数帯に対する対応する規制を設けて、全てのデバイスがアンライセンス周波数帯において不規則かつ無制限にデータを送信することを防いでいる。ネットワークにアクセスする前に、デバイスは、各国の規制によって認証される必要がある。言い換えれば、いずれのデバイスもデータを送信する前にチャネルをモニタリングしなくてよいが、特定の送信デューティサイクルを満たす必要がある。すなわち、デバイスの総送信時間は、特定の時間内の閾値を超えることができない。
【０００５】
デューティサイクルに対する規制の要件を満たすべく、アンライセンス周波数帯域においては一般に２つの技術的手段が使用される。１つは、ＬＢＴ（ｌｉｓｔｅｎ  ｂｅｆｏｒｅ  ｔａｌｋ）、すなわち、いずれのデバイスもデータを送信する前にチャネルをモニタリングする必要があることであり、もう１つは、周波数ホッピング（ｆｒｅｑｕｅｎｃｙ  ｈｏｐｐｉｎｇ）、すなわち、ある期間、チャネルにおいてデータを送信した後、デバイスが別の周波数帯に切り替わって別のチャネルを使用することである。例として、Ｂｌｕｅｔｏｏｔｈ（登録商標）技術の周波数ホッピングを使用する。Ｂｌｕｅｔｏｏｔｈは、２．４ＧＨｚ（２．４０〜２．４８ＧＨｚ）のＩＳＭ周波数帯域で動作する近距離無線通信技術であり、小規模無線パーソナルアクセスネットワーク（ＰＡＮ）を形成することができる。Ｂｌｕｅｔｏｏｔｈは、ＡＦＨ（Ａｄａｐｔｉｖｅ  Ｆｒｅｑｕｅｎｃｙ  Ｈｏｐｐｉｎｇ）、ＬＢＴ（Ｌｉｓｔｅｎ  Ｂｅｆｏｒｅ  Ｔａｌｋ）、および電力制御などの一連の独特の方策を使用して、干渉を克服し、衝突を回避する。
【０００６】
しかしながら、Ｂｌｕｅｔｏｏｔｈは時分割多重アクセス技術を使用し、中央デバイスは同一時点において複数の二次デバイスと通信できないので、Ｂｌｕｅｔｏｏｔｈの一次デバイスは、同一時点において多数の二次デバイスに接続できない。したがって、大量接続についてのモノのインターネットの要件を満たすことができない。
【発明の概要】
【０００７】
本発明の実施形態は、周波数ホッピングに使用する物理チャネルをアンライセンス周波数帯の狭帯域システムにおいて決定するべく、周波数ホッピング通信方法およびデバイスを提供する。
【０００８】
本発明の実施形態の第１態様は、周波数ホッピング通信方法を提供する。当該方法は、端末デバイスが、基地局から複数の仮想チャネルインデックスを受信する段階と、任意で、端末デバイスが、ブロードキャストメッセージまたは専用メッセージを使用して基地局から複数の仮想チャネルインデックスを受信する段階とを備える。
【０００９】
したがって、端末デバイスは、仮想チャネルインデックスセットから仮想チャネルインデックスを選択する。複数の端末デバイスが、仮想チャネルインデックスセットから異なる仮想チャネルインデックスを選択し得ることに留意されたい。任意で、端末デバイスは、物理セル識別子、システムチャネル数の構成パラメータ、フレーム番号、サブフレーム番号、およびスーパーフレーム番号をさらに受信し、仮想チャネルインデックスと上述のパラメータのうちの１つまたはそれらの任意の組み合わせに基づいて、複数のサブフレームにおける仮想チャネルインデックスに対応する物理チャネルを決定してよい。
【００１０】
仮想チャネルインデックスは、複数のサブフレームにおける仮想チャネルインデックスに対応する物理チャネルを決定するために使用されてよく、規制による制限があるために、複数のサブフレームにおける仮想チャネルインデックスに対応する物理チャネルのうちの少なくとも２つが異なる。さらに、周波数ホッピングが必要なために、各サブフレームにおいて通信が行われた後、周波数ホッピングが一回行われてよい。すなわち、複数のサブフレームにおける複数の仮想チャネルインデックスに対応する物理チャネルにおいて、隣接する２つのサブフレームにおける同一の仮想チャネルインデックスに対応する物理チャネルは異なる。
【００１１】
各サブフレームにおける仮想チャネルインデックスに対応する物理チャネルを決定した後、端末デバイスは、仮想チャネルインデックスに対応する物理チャネルを使用して、複数のサブフレームのうちの少なくとも１つにおいて基地局と通信してよい。任意で、仮想チャネルインデックスに対応する物理チャネルを使用して、複数のサブフレームの全てにおいて通信が行われてよい。
【００１２】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００１３】
第１態様に関連して、本発明の実施形態の第１態様の第１の実装例において、物理チャネルの計算を決定する詳細な方法は、計算を行うために、仮想チャネルインデックスと複数のサブフレームの中の任意のサブフレームＳとを入力する段階であって、サブフレームＳの番号は、スーパーフレーム番号、フレーム番号、およびサブフレーム番号を含む、段階と、さらに物理セル識別子とシステムチャネル数の構成パラメータとを入力する段階とを有してよい。具体的には、端末デバイスは、予め設定されたアルゴリズムを使用して物理セル識別子およびＳを計算して、４ビットの第１の値Ｔ１を取得し、次に、Ｔ１に対してビットの並べ替えを行って４ビットの第２の値Ｔ２を取得し、次に、Ｔ２およびＳを計算して１０進の第３の値Ｔ３を取得し、次に、Ｔ３および仮想チャネルインデックスを計算して仮想チャネルインデックス、物理セル識別子、およびシステムチャネル数の構成パラメータに関係する物理チャネルを取得する。
【００１４】
複数の仮想チャネルインデックスは特定のルールにしたがって順序が乱されるので、ランダム性と直交性とを満たす対応する物理チャネルが取得され得る。
【００１５】
本発明の実施形態の第２態様は、周波数ホッピング通信方法を提供する。当該方法は、基地局が、複数の仮想チャネルインデックスを生成する段階と、任意で、基地局が、生成された複数の仮想チャネルインデックスをブロードキャストメッセージまたは専用メッセージを使用して複数の端末デバイスに送信する段階とを備える。
【００１６】
任意で、基地局は、物理セル識別子、システムチャネル数の構成パラメータ、フレーム番号、サブフレーム番号、およびスーパーフレーム番号をさらに生成して送信し、上述のパラメータのうちの１つまたはそれらの任意の組み合わせと仮想チャネルインデックスとに基づいて、複数のサブフレームにおける仮想チャネルインデックスに対応する物理チャネルを決定してよい。
【００１７】
仮想チャネルインデックスは、複数のサブフレームにおける仮想チャネルインデックスに対応する物理チャネルを決定するために使用されてよく、規制による制限があるために、複数のサブフレームにおける仮想チャネルインデックスに対応する物理チャネルのうちの少なくとも２つが異なる。さらに、周波数ホッピングが必要なために、各サブフレームにおいて通信が行われた後、周波数ホッピングが一回行われてよい。すなわち、複数のサブフレームにおける複数の仮想チャネルインデックスに対応する物理チャネルにおいて、隣接する２つのサブフレームにおける同一の仮想チャネルインデックスに対応する物理チャネルは異なる。
【００１８】
隣接するサブフレームにおける仮想チャネルインデックスに対応する物理チャネルは異なるので、各サブフレームにおいて通信が行われた後、端末デバイスは周波数ホッピングを行い、これにより、関連する規制の要件が満たされる。
【００１９】
次に、複数の仮想チャネルインデックスの中のいずれかの仮想チャネルインデックスＤに基づいて、基地局は、複数のサブフレームの各々におけるＤに対応する物理チャネルを決定してよい。ここで、異なるサブフレームにおけるＤに対応する物理チャネルのうちの少なくとも２つが異なっていてよい。さらに、複数のサブフレームにおける複数の仮想チャネルインデックスに対応する物理チャネルにおいて、隣接する２つのサブフレームにおける同一の仮想チャネルインデックスに対応する物理チャネルは異なる。
【００２０】
Ｄを選択するとき、端末デバイスは、基地局が使用する計算方法と同一の計算方法を使用し、同一サブフレームにおける同一の物理チャネルを取得し、次に、当該物理チャネルが、当該サブフレームにおける端末デバイスと基地局との間の通信に使用されることに留意されたい。
【００２１】
任意で、基地局が物理チャネルを決定するとき、サブフレームにおける複数の仮想チャネルインデックスのうちの任意の２つに対応する物理チャネルは異なり、直交性が満たされている。
【００２２】
さらに、いくつかの実現可能な実施形態において、仮想チャネルインデックスはサブフレーム群に対応しており、２つの仮想チャネルインデックスに対応するサブフレーム群は異なっていてよい。２つの異なる仮想チャネルインデックスに対応するサブフレーム群が重複するサブフレームを有する場合、当該サブフレームにおける２つの異なる仮想チャネルインデックスに対応する物理チャネルもまた異なる。
【００２３】
当該サブフレームにおける任意の２つの仮想チャネルインデックスに対応する物理チャネルは異なるので、各サブフレームにおける仮想チャネルに対応する取得された物理チャネルは、直交性を満たし得る。したがって、チャネルリソースが全て使用され、その結果、基地局は、可能な限り多くの端末デバイスと通信することができる。
【００２４】
各サブフレームにおける仮想チャネルインデックスに対応する物理チャネルを決定した後、基地局は、仮想チャネルインデックスに対応する物理チャネルを使用して、複数のサブフレームにおいて複数の端末デバイスと通信してよい。
【００２５】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００２６】
第２態様に関連して、本発明の実施形態の第２態様の第１の実装例において、当該方法は、計算のために、仮想チャネルインデックスと複数のサブフレームの中の任意のサブフレームＳとを入力する段階であって、サブフレームＳの番号は、スーパーフレーム番号、フレーム番号、およびサブフレーム番号を含む、段階と、さらに物理セル識別子とシステムチャネル数の構成パラメータとを入力する段階とを備える。具体的には、基地局はさらに、予め設定されたアルゴリズムを使用して物理セル識別子およびＳを計算して、４ビットの第１の値Ｔ１を取得してよく、次に、Ｔ１に対してビットの並べ替えを行って４ビットの第２の値Ｔ２を取得し、次に、Ｔ２およびＳを計算して１０進の第３の値Ｔ３を取得し、次に、Ｔ３および仮想チャネルインデックスを計算して、仮想チャネルインデックス、物理セル識別子、およびシステムチャネル数の構成パラメータに関係する物理チャネルを取得する。
【００２７】
複数の仮想チャネルインデックスは特定のルールにしたがって順序が乱されるので、ランダム性と直交性とを満たす対応する物理チャネルが取得され得る。
【００２８】
本発明の実施形態の第３態様は、周波数ホッピング通信方法を提供する。当該方法は、基地局が、複数の仮想チャネルインデックスを生成する段階と、任意で、基地局が、生成された複数の仮想チャネルインデックスをブロードキャストメッセージまたは専用メッセージを使用して複数の端末デバイスに送信する段階とを備える。
【００２９】
任意で、基地局は、物理セル識別子、システムチャネル数の構成パラメータ、フレーム番号、サブフレーム番号、およびスーパーフレーム番号をさらに生成して送信し、上述のパラメータのうちの１つまたはそれらの任意の組み合わせと仮想チャネルインデックスとに基づいて、複数のサブフレームにおける仮想チャネルインデックスに対応する物理チャネルを決定してよい。
【００３０】
仮想チャネルインデックスは、複数のサブフレームにおける仮想チャネルインデックスに対応する物理チャネルを決定するために使用されてよく、規制による制限があるために、複数のサブフレームにおける仮想チャネルインデックスに対応する物理チャネルのうちの少なくとも２つが異なる。さらに、周波数ホッピングが必要なために、各サブフレームにおいて通信が行われた後、周波数ホッピングが一回行われてよい。すなわち、複数のサブフレームにおける複数の仮想チャネルインデックスに対応する物理チャネルにおいて、隣接する２つのサブフレームにおける同一の仮想チャネルインデックスに対応する物理チャネルは異なる。
【００３１】
隣接するサブフレームにおける仮想チャネルインデックスに対応する物理チャネルは異なるので、各サブフレームにおいて通信が行われた後、端末デバイスは周波数ホッピングを行い、これにより、関連する規制の要件が満たされる。
【００３２】
基地局は、複数の仮想チャネルインデックスの中のいずれかの仮想チャネルインデックスＤに基づいて、複数のサブフレームの各々におけるＤに対応する物理チャネルを決定してよい。基地局が物理チャネルを決定するとき、サブフレームにおける複数の仮想チャネルインデックスのうちの任意の２つに対応する物理チャネルは異なり、直交性が満たされている。さらに、いくつかの実現可能な実施形態において、仮想チャネルインデックスはサブフレーム群に対応しており、２つの仮想チャネルインデックスに対応するサブフレーム群は異なっていてよい。２つの異なる仮想チャネルインデックスに対応するサブフレーム群が重複するサブフレームを有する場合、当該サブフレームにおける２つの異なる仮想チャネルインデックスに対応する物理チャネルもまた異なる。
【００３３】
当該サブフレームにおける任意の２つの仮想チャネルインデックスに対応する物理チャネルは異なるので、各サブフレームにおける仮想チャネルに対応する取得された物理チャネルは、直交性を満たし得る。したがって、チャネルリソースが全て使用され、その結果、基地局は、可能な限り多くの端末デバイスと通信することができる。
【００３４】
さらに、いくつかの実現可能な実施形態において、仮想チャネルインデックスはサブフレーム群に対応しており、２つの仮想チャネルインデックスに対応するサブフレーム群は異なっていてよい。２つの異なる仮想チャネルインデックスに対応するサブフレーム群が重複するサブフレームを有する場合、当該サブフレームにおける２つの異なる仮想チャネルインデックスに対応する物理チャネルもまた異なる。
【００３５】
当該サブフレームにおける任意の２つの仮想チャネルインデックスに対応する物理チャネルは異なるので、各サブフレームにおける仮想チャネルに対応する取得された物理チャネルは、直交性を満たし得る。したがって、チャネルリソースが全て使用され、その結果、基地局は、可能な限り多くの端末デバイスと通信することができる。
【００３６】
当該サブフレームにおける任意の２つの仮想チャネルインデックスに対応する物理チャネルは異なるので、各サブフレームにおける仮想チャネルに対応する取得された物理チャネルは、直交性を満たし得る。したがって、チャネルリソースが全て使用され、その結果、基地局は、可能な限り多くの端末デバイスと通信することができる。
【００３７】
各サブフレームにおける仮想チャネルインデックスに対応する物理チャネルを決定した後、基地局は、仮想チャネルインデックスに対応する物理チャネルを使用して、複数のサブフレームにおいて複数の端末デバイスと通信してよい。
【００３８】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００３９】
第３態様に関連して、本発明の実施形態の第３態様の第１の実装例において、当該方法は、複数の仮想チャネルインデックスの中の仮想チャネルインデックスＤと複数のサブフレームの中の任意のサブフレームＳについて、基地局が、ＤおよびＳを計算して４ビット値の第１の値Ｔ１を取得する段階と、基地局が、予め設定されたアルゴリズムを使用してＴ１の４つのビットの値に対してビットの並べ替えを行って４ビット値の第２の値Ｔ２を取得する段階と、基地局が、予め設定されたアルゴリズムを使用してＴ２およびＳを計算して第３の値Ｔ３を取得する段階と、基地局が、予め設定されたアルゴリズムを使用してＴ３およびＤを計算して、ＳにおけるＤに対応する物理チャネルを取得する段階とを備える。
【００４０】
複数の仮想チャネルインデックスは特定のルールにしたがって順序が乱されるので、ランダム性と直交性とを満たす対応する物理チャネルが取得され得る。
【００４１】
本発明の実施形態の第４態様は、端末デバイスを提供する。当該端末デバイスは、基地局から複数の仮想チャネルインデックスを受信するよう構成される送受信ユニットと、複数の仮想チャネルインデックスから仮想チャネルインデックスを選択し、当該仮想チャネルインデックスに基づいて、複数のサブフレームにおける当該仮想チャネルインデックスに対応する物理チャネルを決定するよう構成される処理ユニットであって、複数のサブフレームにおける当該仮想チャネルインデックスに対応する物理チャネルのうちの少なくとも２つが異なる、処理ユニットとを備える。送受信ユニットはさらに、当該仮想チャネルインデックスに対応する物理チャネルを使用して、複数のサブフレームのうちの少なくとも１つにおいて基地局と通信するよう構成される。
【００４２】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００４３】
任意で、複数の仮想チャネルインデックスは、ブロードキャストメッセージまたは専用メッセージを使用して基地局から受信される。
【００４４】
第４態様に関連して、本発明の実施形態の第４態様の第１の実装例において、当該処理ユニットは、仮想チャネルインデックスと複数のサブフレームの中の任意のサブフレームＳについて、予め設定されたアルゴリズムを使用して物理セル識別子およびＳを計算して４ビット値の第１の値Ｔ１を取得し、予め設定されたアルゴリズムを使用してＴ１の４つのビットの値に対してビットの並べ替えを行って４ビット値の第２の値Ｔ２を取得し、予め設定されたアルゴリズムを使用してＴ２およびＳを計算して第３の値Ｔ３を取得し、予め設定されたアルゴリズムを使用してＴ３および仮想チャネルインデックスを計算して、Ｓにおける仮想チャネルインデックスに対応する物理チャネルを取得するよう構成される。
【００４５】
本発明の実施形態の第５態様は、基地局を提供する。当該基地局は、生成された複数の仮想チャネルインデックスを送信するよう構成される送受信ユニットと、複数の仮想チャネルインデックスの中のいずれかの仮想チャネルインデックスＤについて、複数のサブフレームの各々におけるＤに対応する物理チャネルをＤに基づいて決定し、複数の仮想チャネルインデックスのうちの１つである、端末デバイスが選択する仮想チャネルインデックスを決定するよう構成される処理ユニットであって、異なるサブフレームにおける、Ｄに対応する物理チャネルのうちの少なくとも２つが異なる、処理ユニットとを備える。送受信ユニットはさらに、仮想チャネルインデックスに対応する物理チャネルを使用して、複数のサブフレームのうちの少なくとも１つにおいて端末デバイスと通信するよう構成される。
【００４６】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００４７】
任意で、処理ユニットはさらに、複数の仮想チャネルインデックスの各々に基づいて、サブフレームにおける各仮想チャネルインデックスに対応する物理チャネルを決定するよう構成され、当該サブフレームにおける複数の仮想チャネルインデックスのうちの任意の２つに対応する物理チャネルは異なる。
【００４８】
任意で、処理ユニットはさらに、複数の仮想チャネルインデックスの各々に対応するサブフレーム群に基づいて、複数の仮想チャネルインデックスの中のいずれかの仮想チャネルインデックスＤについて、Ｄに対応するサブフレーム群の各サブフレームにおけるＤに対応する物理チャネルを、Ｄに基づいて決定するよう構成され、同一サブフレームにおける複数の仮想チャネルインデックスのうちの任意の２つに対応する物理チャネルは異なる。
【００４９】
本発明の実施形態の第６態様は、基地局を提供する。当該基地局は、生成された複数の仮想チャネルインデックスを送信するよう構成される送受信ユニットと、複数の仮想チャネルインデックスの各々に基づいて、サブフレームにおける各仮想チャネルインデックスに対応する物理チャネルを決定し、複数の仮想チャネルインデックスのうちの１つである、端末デバイスが選択する仮想チャネルインデックスを決定するよう構成される処理ユニットであって、当該サブフレームにおける複数の仮想チャネルインデックスのうちの任意の２つに対応する物理チャネルは異なる、処理ユニットとを備える。送受信ユニットはさらに、当該仮想チャネルインデックスに対応する物理チャネルを使用して、当該サブフレームにおいて端末デバイスと通信するよう構成される。
【００５０】
一サブフレームにおいて、基地局は、複数の端末デバイスと同時に通信してよい。Ｂｌｕｅｔｏｏｔｈ技術と比べて、同一条件下では、基地局と通信する端末デバイス数が著しく増加するので、それに応じて、大量接続のためのモノのインターネットの要件が満たされ得る。
【００５１】
任意で、処理ユニットはさらに、複数の仮想チャネルインデックスの各々に対応するサブフレーム群に基づいて、複数の仮想チャネルインデックスの中のいずれかの仮想チャネルインデックスＤについて、Ｄに対応するサブフレーム群の各サブフレームにおけるＤに対応する物理チャネルを、Ｄに基づいて決定するよう構成され、同一サブフレームにおける複数の仮想チャネルインデックスのうちの任意の２つに対応する物理チャネルは異なる。
【００５２】
任意で、処理ユニットはさらに、複数の仮想チャネルインデックスの中のいずれかの仮想チャネルインデックスＤについて、複数のサブフレームの各々における、Ｄに対応する物理チャネルを、Ｄに基づいて決定するよう構成され、異なるサブフレームにおけるＤに対応する物理チャネルのうちの少なくとも２つが異なる。
【００５３】
任意で、送受信ユニットはさらに、ブロードキャストメッセージまたは専用メッセージを使用して、生成された複数の仮想チャネルインデックスを送信するよう構成される。
【００５４】
第６態様に関連して、本発明の実施形態の第６態様の第１の実装例において、処理ユニットはさらに、仮想チャネルインデックスと複数のサブフレームの中の任意のサブフレームＳとについて、予め設定されたアルゴリズムを使用して物理セル識別子およびＳを計算して、４ビット値の第１の値Ｔ１を取得し、予め設定されたアルゴリズムを使用してＴ１の４つのビットの値に対してビットの並べ替えを行って４ビット値の第２の値Ｔ２を取得し、予め設定されたアルゴリズムを使用してＴ２およびＳを計算して第３の値Ｔ３を取得し、予め設定されたアルゴリズムを使用してＴ３および仮想チャネルインデックスを計算して、Ｓにおける仮想チャネルインデックスに対応する物理チャネルを取得するよう構成される。
【００５５】
本発明の実施形態の第７態様は、端末デバイスを提供する。当該端末デバイスは、送受信機およびプロセッサを備える。送受信機は、基地局から複数の仮想チャネルインデックスを受信するよう構成される。プロセッサは、複数の仮想チャネルインデックスから仮想チャネルインデックスを選択し、複数のサブフレームにおける当該仮想チャネルインデックスに対応する物理チャネルを、当該仮想チャネルインデックスに基づいて決定するよう構成され、複数のサブフレームにおける当該仮想チャネルインデックスに対応する物理チャネルのうちの少なくとも２つが異なる。送受信機はさらに、当該仮想チャネルインデックスに対応する物理チャネルを使用して、複数のサブフレームのうちの少なくとも１つにおいて基地局と通信するよう構成される。
【００５６】
本発明の実施形態の第８態様は、基地局を提供する。当該基地局は、送受信機およびプロセッサを備える。送受信機は、生成された複数の仮想チャネルインデックスを送信するよう構成される。
【００５７】
プロセッサは、複数の仮想チャネルインデックスの中のいずれかの仮想チャネルインデックスＤについて、複数のサブフレームの各々におけるＤに対応する物理チャネルを、Ｄに基づいて決定するよう構成され、異なるサブフレームにおけるＤに対応する物理チャネルのうちの少なくとも２つが異なり、また、プロセッサは、複数の仮想チャネルインデックスのうちの１つである、端末デバイスが選択する仮想チャネルインデックスを決定するよう構成される。送受信機はさらに、当該仮想チャネルインデックスに対応する物理チャネルを使用して、複数のサブフレームのうちの少なくとも１つにおいて端末デバイスと通信するよう構成される。
【００５８】
本発明の実施形態の第９態様は、基地局を提供する。当該基地局は、送受信機およびプロセッサを備える。送受信機は、生成された複数の仮想チャネルインデックスを送信するよう構成される。プロセッサは、複数の仮想チャネルインデックスの各々に基づいて、サブフレームにおける各仮想チャネルインデックスに対応する物理チャネルを決定するよう構成され、当該サブフレームにおける複数の仮想チャネルインデックスのうちの任意の２つに対応する物理チャネルは異なり、またプロセッサは、複数の仮想チャネルインデックスのうちの１つである、端末デバイスが選択する仮想チャネルインデックスを決定するよう構成される。送受信機はさらに、当該仮想チャネルインデックスに対応する物理チャネルを使用して、当該サブフレームにおいて端末デバイスと通信するよう構成される。
【００５９】
本発明の実施形態が以下の利点を有することが、上述の技術的解決手段から分かるであろう。
【００６０】
端末デバイスは、基地局から複数の仮想チャネルインデックスを受信し、端末デバイスは、複数の仮想チャネルインデックスから仮想チャネルインデックスを選択し、端末デバイスは、複数のサブフレームにおける当該仮想チャネルインデックスに対応する物理チャネルを、当該仮想チャネルインデックスに基づいて決定し、複数のサブフレームにおける当該仮想チャネルインデックスに対応する物理チャネルのうちの少なくとも２つが異なり、端末デバイスは、当該仮想チャネルインデックスに対応する物理チャネルを使用して、複数のサブフレームのうちの少なくとも１つにおいて基地局と通信する。したがって、基地局は、一サブフレームにおいて複数の端末デバイスと同時に通信し得る。Ｂｌｕｅｔｏｏｔｈ技術と比べて、同一条件下では、基地局と通信する端末デバイス数が著しく増加することにより、それに応じて、大量接続のためのモノのインターネットの要件が満たされ得る。
【図面の簡単な説明】
【００６１】
【図１】本発明の一実施形態に係る周波数ホッピング通信システムの概略アーキテクチャ図である。
【００６２】
【図２】本発明の一実施形態に係る周波数ホッピング通信方法の一実施形態の概略フローチャートである。
【００６３】
【図３】本発明の一実施形態に係る、仮想チャネルインデックスに基づいてサブフレームにおいて物理チャネルを決定する一実施形態の概略フローチャートである。
【００６４】
【図４】本発明の一実施形態に係る端末デバイスの一実施形態の概略図である。
【００６５】
【図５】本発明の一実施形態に係る基地局の一実施形態の概略図である。
【００６６】
【図６】本発明の一実施形態に係る基地局の一実施形態の概略図である。
【００６７】
【図７】本発明の一実施形態に係る端末デバイスの一実施形態の概略図である。
【００６８】
【図８】本発明の一実施形態に係る基地局の一実施形態の概略図である。
【００６９】
【図９】本発明の一実施形態に係る基地局の一実施形態の概略図である。
【発明を実施するための形態】
【００７０】
本発明の実施形態は、周波数ホッピングに使用する物理チャネルをアンライセンス周波数帯の狭帯域システムにおいて決定するべく、周波数ホッピング通信方法およびデバイスを提供する。
【００７１】
本発明の明細書、特許請求の範囲、および添付図面では、「第１」、「第２」、「第３」、「第４」（存在する場合）などの用語は、類似の対象を区別することを意図しているものであって、必ずしも特定の順序または順番を示しているわけではない。そのようなやり方で称されるデータは適切な状況においては交換可能であり、本明細書で説明される実施形態は、本明細書で図示または説明される順序以外の順序で実装され得るということを理解されたい。加えて、「含む（ｉｎｃｌｕｄｅ）」、「含有する（ｃｏｎｔａｉｎ）」と言う用語および他の任意の変形例は、非排他的な含有を含むことを意味している。例えば、列挙された段階またはユニットを含むプロセス、方法、システム、製品、またはデバイスは、必ずしもこれらの段階またはユニットに限定されるわけではなく、明示的に列挙されていないか、または、そのようなプロセス、方法、システム、製品、またはデバイスに本来備わっている他の段階またはユニットを含んでよい。
【００７２】
図１は、周波数ホッピング通信システムの概略アーキテクチャ図である。周波数ホッピング通信システムは、アンライセンス周波数帯の狭帯域システムにおいて使用され、基地局および複数の端末デバイスを備える。
【００７３】
モバイルインターネット業界およびモノのインターネット業界の発展に伴い、ますます多くのモバイル端末デバイスが互いに接続され、より豊富なデータを共有する。企業市場を見据え、モノのインターネットのネットワークデバイスは低コストで、展開が容易で、保守不要である。事業者のライセンス周波数帯と比べて、アンライセンス周波数帯、特にサブＧＨｚ帯、においてはネットワークコストを効果的に低減でき、企業のモノのインターネットの主な通信要件は少量データおよび大量接続となっている。したがって、アンライセンス周波数帯に基づく狭帯域通信システムがこの要件を満たすことができる。
【００７４】
本発明の実施形態において、基地局とは、公共のモバイル通信基地局を指す。当該モバイル通信基地局は、無線局の一種であり、無線送受信局を指し、モバイル通信交換センタを使用して、特定の無線カバレッジにおいて携帯電話端末デバイスに情報を転送する。
【００７５】
いくつかの実現可能な実施形態では、基地局は、ベースバンド処理ユニットＢＢＵと、アンテナ給電システム（アンテナ）に接続された無線リモートユニットＲＲＵとを備えてよい。
【００７６】
本発明の実施形態において使用される端末デバイスは、ユーザに音声および／またはデータの接続を提供するデバイス、無線接続機能を有するハンドヘルドデバイス、または、無線モデムに接続された別の処理デバイスであってよい。無線端末デバイスは、無線アクセスネットワーク（ＲＡＮ、Ｒａｄｉｏ  Ａｃｃｅｓｓ  Ｎｅｔｗｏｒｋ）を使用して、１または複数のコアネットワークと通信してよい。無線端末デバイスは、音声および／またはデータを無線アクセスネットワークと交換する、携帯電話（もしくは「セルラ」電話と称される）などのモバイル端末デバイスか、または、例えば、ポータブルの、ポケットサイズの、ハンドヘルドの、コンピュータ内蔵の、もしくは車載のモバイル装置といった、モバイル端末デバイスを備えたコンピュータであってよい。例えば、無線端末デバイスは、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、無線ローカルループ（ＷＬＬ、Ｗｉｒｅｌｅｓｓ  Ｌｏｃａｌ  Ｌｏｏｐ）局、またはパーソナルデジタルアシスタント（ＰＤＡ、Ｐｅｒｓｏｎａｌ  Ｄｉｇｉｔａｌ  Ａｓｓｉｓｔａｎｔ）などのデバイスであってよい。無線端末デバイスはまた、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末デバイス（Ｒｅｍｏｔｅ  Ｔｅｒｍｉｎａｌ）、アクセス端末デバイス（Ａｃｃｅｓｓ  Ｔｅｒｍｉｎａｌ）、ユーザ端末デバイス（Ｕｓｅｒ  Ｔｅｒｍｉｎａｌ）、端末デバイス、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称されてよい。
【００７７】
具体的には、例として携帯電話を使用する。端末デバイスは、無線周波数（Ｒａｄｉｏ  Ｆｒｅｑｕｅｎｃｙ、ＲＦ）回路、メモリ、入力ユニット、表示ユニット、センサ、音声回路、ワイヤレスフィディリティ（ｗｉｒｅｌｅｓｓ  ｆｉｄｅｌｉｔｙ、Ｗｉ‐Ｆｉ）モジュール、プロセッサ、および電源などのコンポーネントを有してよい。当業者ならば理解し得るように、携帯電話の構造が、携帯電話に対して制限を課すことはなく、携帯電話は、より多くの、もしくはより少ないコンポーネントを有するか、またはいくつかのコンポーネントを組み合わせるか、または異なるコンポーネント配置を有してよく、このことは本明細書において限定されない。
【００７８】
いくつかの実現可能な実施形態において、本発明はスター型トポロジのネットワークにおいて使用されてよい。当該ネットワークの各ノードは、ポイントツーポイント方式で中央ノード（中央転送局とも称され、通常はハブまたはスイッチである）に接続され、中央ノードは、情報を宛先ノードに送信する。中央ノードは、集中型通信制御ポリシを実装する。したがって、中央ノードは、幾分複雑であり、各ノードよりはるかに重い負荷を負っている。スター型ネットワークの任意の２つのノード間の通信は、中央ノードによって制御される必要がある。
【００７９】
スター型トポロジのネットワークは、集中制御型のネットワークである。ネットワーク全体は、中央ノードが集中型アクセス制御を行うことによって管理され、ノードは、中央ノードを介して互いに通信し合う。データを送信する必要がある各ノードは、データを中央ノードに送信し、中央ノードは、当該データを宛先ノードに送信する役目を担う。したがって、中央ノードは、幾分複雑であり、各ノードの通信処理負荷は非常に軽く、各ノードは、リンクの単純な通信要件を満たす必要しかない。
【００８０】
中央ノードは複数のデバイスに接続する必要があり、また、多くの回線が存在するので、集中した接続を容易にするべく、中央ノードとしてハブ（ＨＵＢ）またはスイッチングデバイスが使用される。通常、ネットワーク環境は、スター型トポロジ構造として設計される。スター型ネットワークは、最も広く使用され、最も好適なネットワークトポロジ設計の１つである。
【００８１】
本発明の実施形態では、各国の各地域では、アンライセンス周波数帯に対する対応する規制を設けて、全てのデバイスがアンライセンス周波数帯において不規則かつ無制限にデータを送信することを防いでいる。例えば、ＦＣＣ（連邦通信委員会、英語：Ｆｅｄｅｒａｌ  Ｃｏｍｍｕｎｉｃａｔｉｏｎｓ  Ｃｏｍｍｉｓｓｉｏｎ）は、アメリカ連邦議会に対して直接責任を負っており、無線放送、テレビ、遠隔通信、衛星、およびケーブルを制御することによって国内通信および国際通信を調整し、連邦政府が使用するもの以外の無線周波送信装置およびデバイスを許可および管理する役目を担っている。ＦＣＣは、通信デバイスが低いデューティサイクル（ｌｏｗ  ｄｕｔｙ  ｃｙｃｌｅ）を満たすことを要求している。言い換えれば、いずれのデバイスもデータを送信する前にチャネルをモニタリングしなくてよいが、特定の送信デューティサイクルを満たす必要がある。すなわち、デバイスの総送信時間は、特定の時間内の閾値を超えることができない。例としてＦＣＣ１５．２４７を使用する。周波数帯域９０２〜９２８ＭＨｚ、２４００〜２４８３．５ＭＨｚ、および５７２５〜５８５０ＭＨｚにおいては、１つのデバイスが長時間チャネルを占有することを防ぐべく、デバイス間でスケジューリングおよび交渉が行われないことが要求される。
【００８２】
通常、デューティサイクルに対する規制の要件を満たすべく、アンライセンス周波数帯域においては一般に２つの技術的手段が使用される。１つは、リッスンビフォアトークＬＢＴ（ｌｉｓｔｅｎ  ｂｅｆｏｒｅ  ｔａｌｋ）、すなわち、いずれのデバイスもデータを送信する前にチャネルをモニタリングする必要があることであり、もう１つは、周波数ホッピング技術（ｆｒｅｑｕｅｎｃｙ  ｈｏｐｐｉｎｇ）、すなわち、ある期間、チャネルにおいてデータを送信した後、デバイスは、別の周波数帯に切り替わり、別のチャネルを使用することである。ＦＣＣは、周波数ホッピングチャネル数、単一チャネルのデューティサイクル（Ｄｕｔｙ  Ｃｙｃｌｅ）、および周波数ホッピング帯域幅などの周波数ホッピングインデックスを指定している。ネットワークにアクセスする前に、デバイスは、各国の規制によって認証される必要がある。北米ではＦＣＣの規制が使用され、他の国では、ＦＣＣの規制に基づいた規制が使用される。
【００８３】
本発明の実施形態では、基地局および端末デバイスの両方に内蔵の周波数ホッピングモジュールが設けられており、周波数ホッピングモジュールは、基地局と端末デバイスとの間の通信のための周波数ホッピング技術を使用する。
【００８４】
いくつかの実現可能な実施形態では、周波数ホッピングは、最も一般に使用されるスペクトル拡散方式の１つである。周波数ホッピングの動作原理は、受信側および送信側が信号送信に使用するキャリア周波数が、予め決定されたルールにしたがって離散的に変更されるというもの、すなわち、通信に使用されるキャリア周波数が疑似ランダム変更コードの制御下でランダムにホップするというものである。周波数ホッピングに使用される技術は、周波数ホッピング技術（Ｆｒｅｑｕｅｎｃｙ  Ｈｏｐｐｉｎｇ  Ｓｐｒｅａｄ  Ｓｐｅｃｔｒｕｍ、ＦＨＳＳ）と称され、それは、受信側および送信側が、非特定の受信者に対して、特定の種類の狭帯域のキャリアを同時に使用して同時に信号を送信することを意味する。
【００８５】
通信技術の実装から、周波数ホッピングとは、コードシーケンスを使用して多値周波数偏移変調を行う通信方式であり、コード制御型のキャリア周波数ホッピング通信システムでもある。時間領域の観点から見ると、周波数ホッピング信号は多値周波数偏移変調の信号である。周波数領域の観点から見ると、周波数ホッピング信号の周波数スペクトルは、非常に広い帯域において不均等な間隔でランダムにホップする。周波数ホッピングコントローラは、中核的なコンポーネントであり、周波数ホッピングパターンの生成、同期、および適応制御などの機能を含むことに留意されたい。周波数合成器は、周波数ホッピングコントローラの制御の下、合成することによって必要な周波数を取得する。データ端末デバイスは、データに対して誤り制御を行う。
【００８６】
モバイルインターネット業界およびモノのインターネット業界の急速な発展に伴い、企業のモノのインターネットの主な通信要件は、少量データおよび大量接続となっている。ライセンス周波数帯と比べて、アンライセンス周波数帯は、ネットワークコストを効果的に低減することができる。しかしながら、アンライセンス周波数帯に対しては対応する規制があり、それによって、全てのデバイスがアンライセンス周波数帯において不規則かつ無制限にデータを送信することを防いでいる。
【００８７】
アンライセンス周波数帯域においては一般に２つの技術的手段が使用される。１つは、いずれのデバイスもデータを送信する前にチャネルをモニタリングする必要があることであり、もう１つは、周波数ホッピング、すなわち、ある期間、チャネルにおいてデータを送信した後、デバイスが別の周波数帯に切り替わって別のチャネルを使用すること、例えばＢｌｕｅｔｏｏｔｈ技術、である。しかしながら、Ｂｌｕｅｔｏｏｔｈ技術を使用して複数の二次デバイスと通信するとき、中央デバイスは、同一時点で複数の二次デバイスと通信することはできない。したがって、大量接続のための現在のモノのインターネット業界の要件を満たすことができない。
【００８８】
したがって、本発明のこの実施形態では、端末デバイスは、基地局から複数の仮想チャネルインデックスを受信し、端末デバイスは、複数の仮想チャネルインデックスから仮想チャネルインデックスを選択し、端末デバイスは、複数のサブフレームにおける当該仮想チャネルインデックスに対応する物理チャネルを、当該仮想チャネルインデックスに基づいて決定し、複数のサブフレームにおける当該仮想チャネルインデックスに対応する物理チャネルのうちの少なくとも２つが異なり、端末デバイスは、当該仮想チャネルインデックスに対応する物理チャネルを使用して、複数のサブフレームのうちの少なくとも１つにおいて基地局と通信する。したがって、基地局は、一サブフレームにおいて複数の端末デバイスと同時に通信し得る。Ｂｌｕｅｔｏｏｔｈ技術と同一条件の下、基地局と通信する端末デバイス数が著しく増加することにより、それに応じて、大量接続のためのモノのインターネットの要件が満たされ得る。
【００８９】
理解し易くするために、本出願のこの実施形態の詳細な手順を以下で説明する。図２は、本発明の一実施形態に係る周波数ホッピング通信方法の一実施形態の概略フローチャートである。当該方法は、以下の段階を備える。
【００９０】
２０１．基地局が、生成された複数の仮想チャネルインデックスを送信する。
【００９１】
本発明のこの実施形態では、物理チャネルとは、無線通信における送信端と受信端との間の経路の端的な類例である。無線波の場合、送信端と受信端との間には物理的接続は存在せず、１より多くの伝搬経路が存在し得る。送信端と受信端との間の動作を端的に説明するべく、送信端と受信端との間に、目に見えない道筋のリンクがあると想像されたい。この道筋のリンクは、チャネルと称される。チャネル帯域幅は、信号がチャネルを通過する際に許された最も低周波数と最も高い周波数とを制限し、周波数通過帯域と理解されてよい。
【００９２】
本発明のこの実施形態では、スター型トポロジのネットワークにおいて、複数の端末デバイスがアップリンクサービスを同一時刻に同時に実行し、サブＧＨｚ帯の場合、ＦＣＣの規制ではデバイスは無制限にチャネルを占有できないと定められているので、ユーザは、チャネル周波数ホッピングを実行する必要がある。周波数ホッピングルールにしたがって様々な時刻において実際の物理チャネルによって予測され得る一連の周波数ホッピングチャネル位置が、仮想物理チャネルと称される。
【００９３】
いくつかの実現可能な実施形態において、基地局は、ブロードキャストメッセージまたは専用メッセージを使用して基地局から端末デバイスに複数の仮想チャネルインデックスを送信してよい。ブロードキャストメッセージおよび専用メッセージは従来技術のものであり、本明細書では詳細は説明しない。
【００９４】
２０２．端末デバイスが、複数の仮想チャネルインデックスから仮想チャネルインデックスを選択する。
【００９５】
本発明のこの実施形態では、複数の仮想チャネルインデックスを受信するとき、端末デバイスは、複数の仮想チャネルインデックスから仮想チャネルインデックスを選択して、当該仮想チャネルインデックスが表す仮想チャネルを使用してよく、各サブフレームにおける当該仮想チャネルに対応する物理チャネルを使用して基地局と通信する。
【００９６】
２０３．端末デバイスが、複数のサブフレームにおける当該仮想チャネルインデックスに対応する物理チャネルを、当該仮想チャネルインデックスに基づいて決定する。
【００９７】
いくつかの実現可能な実施形態において、端末デバイスは、物理セル識別子、システムチャネル数の構成パラメータ、フレーム番号、サブフレーム番号、もしくはスーパーフレーム番号のうちの１つまたはそれらの任意の組み合わせと当該仮想チャネルインデックスとに基づいて、複数のサブフレームにおける当該仮想チャネルインデックスに対応する物理チャネルをさらに決定してよい。
【００９８】
いくつかの実現可能な実施形態では、ＬＴＥにおいて物理セル識別子、すなわちＰＣＩ（正式名称：Ｐｈｙｓｉｃａｌ  Ｃｅｌｌ  Ｉｄｅｎｔｉｆｉｅｒ）が端末デバイスによって使用されて、異なるセルの無線信号を区別する。ＬＴＥシステムは、５０４個のＰＣＩを提供し、それらのＰＣＩは、概念的にＴＤ−ＳＣＤＭＡシステムの１２８個のスクランブルコードに類似している。構成がネットワーク管理システムを使用して行われるとき、０と５０３との間の番号がセル用に構成される。ＬＴＥのセルサーチ手順では、プライマリ同期シーケンス（ＰＳＳ、合計３つの可能性がある）、セカンダリ同期シーケンス（ＳＳＳ、合計１６８の可能性がある）、またはプライマリ同期シーケンスとセカンダリ同期シーケンスとの組み合わせをサーチすることによって、特定のセルＩＤが決定される。本発明のこの実施形態では、例として３６個の物理セルを使用してＰＣＩを説明する。すなわち、ＰＣＩの値は、１０進法で０〜３５、２進法で０〜１００１１となる。
【００９９】
いくつかの実現可能な実施形態において、サブフレームの番号は、スーパーフレーム番号、フレーム番号、およびサブフレーム番号を備える。１つのスーパーフレームは８個のフレームを有し、１つのフレームは６個のサブフレームを含む。狭帯域のモノのインターネットのシステムでは、８１９２個のスーパーフレームがあり、８１９２個のスーパーフレームの値は、０から８１９１である。サブフレームの番号は、１９ビットを有してよく、その内訳は、スーパーフレーム番号が１３ビットを含み、フレーム番号が３ビットを含み、サブフレーム番号が３ビットを含む。狭帯域のモノのインターネットのシステムのアンライセンス周波数帯において、総システム帯域幅は、１．８ＭＨｚであり、９個の１８０ｋＨｚのチャネル（英語：Ｃｈａｎｎｅｌ）と１８０ｋＨｚのガード帯域幅とに分割される。１８０ｋＨｚのチャネルは、６つの３０ｋＨｚのサブチャネル（ｓｕｂ−ｃｈａｎｎｅｌ）を含む。システムの時間領域において、ｅサブフレーム（ｅＳｕｂＦｒａｍｅ）、ｅフレーム（ｅＦｒａｍｅ）、およびｅスーパーフレーム（ｅＳｕｐｅｒＦｒａｍｅ）の概念が提供される。この実施形態では、サブフレームが２５０ｍｓであり、フレームが６個のサブフレームを有し、スーパーフレームが８個のフレームを備える例が説明に使用される。
【０１００】
いくつかの実現可能な実施形態において、基地局はさらに、システムチャネル数の構成パラメータを生成してよい。通常、システムチャネル数の構成パラメータは、物理チャネル数の数倍であってよく、通常は物理チャネル数の６倍である。１つのフレームは６個のサブフレームを含むので、システムチャネル数の構成パラメータが９である場合、物理チャネル数は９×６＝５４である。
【０１０１】
本発明のこの実施形態では、複数のサブフレームにおける仮想チャネルインデックスに対応する物理チャネルのうちの少なくとも２つが異なることに留意されたい。規制による制限があるため、アンライセンス周波数帯の物理チャネルは長時間端末デバイスにサービス提供できない。したがって、本発明この実施形態では、端末デバイスは、基地局と通信するとき、１つの物理チャネルから別の物理チャネルに切り替わる必要がある。したがって、端末デバイスが仮想チャネルインデックスを選択するとき、そのような規制に従う必要もある。複数のサブフレームにおける当該仮想チャネルインデックスに対応する物理チャネルは、全てが同一であることはできない。したがって、少なくとも２つの物理チャネルが異なっている必要がある。これにより、規制の要件が満たされる。
【０１０２】
任意で、複数のサブフレームにおける複数の仮想チャネルインデックスに対応する物理チャネルにおいて、隣接する２つのサブフレームにおける同一の仮想チャネルインデックスに対応する物理チャネルが異なっている場合、周波数ホッピングに対する規制の要件が完全に満たされ得る。
【０１０３】
いくつかの実現可能な実施形態において、当該仮想チャネルインデックスは基地局によって生成され、基地局は、複数の仮想チャネルインデックスを生成し、ここで、当該仮想チャネルインデックスは、仮想チャネルを表し、当該仮想チャネルは、対応するサブフレーム群の各サブフレームにおける物理チャネルであることに留意されたい。複数の仮想チャネルインデックスの個数は、物理チャネル数と同一であることに留意されたい。ここでは詳細は説明しない
【０１０４】
詳細な計算プロセスについては、図３を参照されたい。いくつかの実現可能な実施形態において、仮想チャネルインデックスに基づいてサブフレームにおける物理チャネルを決定する一実施形態は、以下の段階を備える。
【０１０５】
２０３１．仮想チャネルインデックス、および複数のサブフレームの中の任意のサブフレームＳについて、端末デバイスが、予め設定されたアルゴリズムを使用して物理セル識別子およびＳを計算して、４ビット値の第１の値Ｔ１を取得する。
【０１０６】
本発明のこの実施形態では、予め設定されたアルゴリズムを使用して、まず物理セル識別子およびサブフレームの番号が計算されて、４ビットの２進値の第１のＴ１が取得されてよい。
【０１０７】
具体的には、２進数で、１９個のビットを含むＴｉｍｅＳｔａｍｐ［１８：０］の値がまず定義され、当該１９個のビットは、第０番目のビットから１８番目のビットまでが、それぞれ０または１である。本発明のこの実施形態において、ＴｉｍｅＳｔａｍｐ［１８：０］の値は、サブフレームの番号、すなわち、スーパーフレーム番号、フレーム番号、およびサブフレーム番号、によって決定される。具体的には、ＴｉｍｅＳｔａｍｐ［１８：０］＝スーパーフレーム番号×６×８＋フレーム番号×６＋サブフレーム番号であり、これにより、１９ビットの２進値ＴｉｍｅＳｔａｍｐ［１８：０］が取得される。
【０１０８】
ＴｉｍｅＳｔａｍｐ［１８：０］の中で、例えば、ＴｉｍｅＳｔａｍｐ［２：０］は、第０番目のビット（第０番目の桁は１の位である）から第２番目のビット（第２番目のビットは百の位である）までがそれぞれ０または１である値を表し、ＴｉｍｅＳｔａｍｐ［１８：７］は、第７番目のビットから第１８番目のビットまでがそれぞれ０または１である値を表す、などとなっていることに留意されたい。
【０１０９】
本発明のこの実施形態では、４ビットの２進の定数ＰＣＩ［３：０］（ＰＣＩの値は、１０進法では０〜３５なので、ＰＣＩの値は２進法では０〜１０００１１であり、したがって完全なＰＣＩは０または１である６個のビットを含み、ＰＣＩ［３：０］は、ＰＣＩの第０番目から第３番目のビットの数字を表す）が、４ビットのＴ０［３：０］（ここでのＴ０［３：０］の値は、ＴｉｍｅＳｔａｍｐ［４：１］である）に足されてよく、次に、当該合計に対してｍｏｄ１６演算が行なわれて出力Ｔ１［３：０］が取得される。ｍｏｄ１６演算を行う目的は、数字の順序を乱すことであることに留意されたい。
【０１１０】
例えば、入力の物理セルが、
ＰＣＩ［６：０］＝１１１１０１、ＴｉｍｅＳｔａｍｐ［１８：０］＝１００１００１０１１１０００１０１０１の場合、
ＰＣＩ［３：０］＝１１０１、Ｔ０［３：０］＝ＴｉｍｅＳｔａｍｐ［４：１］＝１０１０であり、
その場合、ＰＣＩ［３：０］＋Ｔ０［３：０］＝１０１１１、１０進法で２３、となる。ｍｏｄ１６演算を行うと７が取得され、７の２進値は１１１である。したがって、Ｔ１［３：０］＝０１１１となる。
【０１１１】
２０３２．端末デバイスが、予め設定されたアルゴリズムを使用して、Ｔ１の４つのビットの値に対してビットの並べ替えを行って、４ビット値の第２の値Ｔ２を取得する。
【０１１２】
いくつかの実現可能な実施形態においては任意で、ビットの並べ替えを行うことによって、さらに、当該数字の順序を乱してよい。
【０１１３】
具体的には、６つの制御ワードＢ［０］〜Ｂ［５］が設定されてよい。制御ワードが真の場合、対応する位置のビットが交換される。以下に示すように、例えば、Ｂ［０］が真の場合、Ｔ１［０］およびＴ１［１］の２つのビットが交換される。制御ワードが真の場合、ビットが交換される。
【表１】
2019536378.tif 000003
【０１１４】
次に、Ｔ１［３：０］に対してビットの並べ替えを行った後に取得されるＴ２［３：０］が取得されてよい。
【０１１５】
例えば、Ｔ１［３：０］＝０１０１の場合、
【表２】
2019536378.tif 000004
【０１１６】
したがって、全ての制御ワードが変更された後、Ｔ２［３：０］＝０１１０が取得される。
【０１１７】
２０３３．端末デバイスが、予め設定されたアルゴリズムを使用してＴ２およびＳを計算して、第３の値Ｔ３を取得する。
【０１１８】
いくつかの実現可能な実施形態において、ビットの並べ替えを行った後に出力されるＴ２［３：０］が、定数ＣおよびＡ２［１６：０］（ここでのＡ２［１６：０］の値は、次のようになる。Ａ２［２：０］＝０００、Ａ２［１４：３］＝ＴｉｍｅＳｔａｍｐ［１６：５］、Ａ２［１６：１５］＝ｘｏｒ（ＴｉｍｅＳｔａｍｐ［１８：１７］，ＰＣＩ［５：４］）、すなわち、Ａ２［１５］＝ｘｏｒ（ＴｉｍｅＳｔａｍｐ［１７］，ＰＣＩ［４］）、Ａ２［１６］＝ｘｏｒ（ＴｉｍｅＳｔａｍｐ［１８］，ＰＣＩ［５］））に足され、次に、取得された結果にｍｏｄ５４演算（この実施形態では、６×ｎ＝５４であり、ｎはシステムの構成パラメータである）が実行されて、１０進の０〜５３の値である出力値Ｔ３が取得される。
【０１１９】
例えば、
Ｔ２［３：０］＝０１１０、
Ｃ＝１０１０、
ＴｉｍｅＳｔａｍｐ［１６：５］＝１００１０１１０１１００１１１００００、
ＴｉｍｅＳｔａｍｐ［１８：１７］＝１０、
ＰＣＩ［５：４］＝１１、
ならば、Ａ２［１６：１５］＝０１、Ａ２［１４：３］＝ＴｉｍｅＳｔａｍｐ［１６：５］＝１００１０１１０１１００１１１００００、であり、
次に、Ｔ２［３：０］＋Ｃ＋Ａ２［１６：０］
＝０１１０＋１０１０＋１００１０１１０１１００１１１００００
＝１００１０１１０１１０１０００００００、
となり、この場合、１０進値は３０８８６４であり、ｍｏｄ５４が行われた後にＴ３＝３８が取得される。
【０１２０】
２０３４．端末デバイスが、予め設定されたアルゴリズムを使用してＴ３および仮想チャネルインデックスを計算して、Ｓにおいて仮想チャネルインデックスに対応する物理チャネルを取得する。
【０１２１】
この段階では、入力パラメータは、Ｔ３とシステムチャネル数の構成ｎと仮想チャネルインデックスＤとを含み、出力パラメータは、チャネルインデックス番号とサブチャネルインデックス番号とを含む。
【０１２２】
具体的には、この実施形態において、１０進データのＴ３と一対一対応しているマッピング値が、対応するマッピングルールにしたがって取得される。以下の表が、マッピング値表である。マッピング値表の最初の２７個の数は偶数であり、最後の２７個の要素は奇数である。例えば、Ｔ３＝５０かつｎ＝９の場合、マッピング値表にしたがって、マッピング値４５が取得され得る。
【表３】
2019536378.tif 000005
【０１２３】
当該方法はさらに、当該値の順序を乱す。
【０１２４】
本発明のこの実施形態では、ｎは、チャネル構成パラメータであり、入力仮想チャネルインデックスに対応する物理チャネルのチャネル番号（Ｃｈａｎｎｅｌ＿ｉｎｄｅｘ）およびサブチャネル番号（Ｓｕｂ−Ｃｈａｎｎｅｌ＿ｉｎｄｅｘ）が取得され、次式を使用して計算される。
Ｃｈａｎｎｅｌ＿ｉｎｄｅｘ＝ｆｌｏｏｒ（（マッピング値＋Ｄ）／６），
Ｓｕｂ−Ｃｈａｎｎｅｌ＿ｉｎｄｅｘ＝ｍｏｄ（（マッピング値＋Ｄ），６）
【０１２５】
取得されたＴ３が、Ｔ３＝４である場合、マッピング値は６であり、次式に代入して以下の結果を得る。
Ｃｈａｎｎｅｌ＿ｉｎｄｅｘ＝ｆｌｏｏｒ（マッピング値／６）＝１，
Ｓｕｂ−Ｃｈａｎｎｅｌ＿ｉｎｄｅｘ＝ｍｏｄ（マッピング値，６）＝０
【０１２６】
この結果、仮想チャネルインデックスに対応する物理チャネルが取得される。物理チャネルのフレーム番号は１であり、サブフレーム番号は０である。
【０１２７】
ｆｌｏｏｒ関数の機能は「少数点以下の切り捨て」であり、すなわち、ｆｌｏｏｒ（ｘ）は、ｘを越えない最大の整数であることに留意されたい。ｍｏｄ演算、すなわち剰余演算とは、整数演算で整数ｘを別の整数ｙで除算することによって剰余が取得される演算であり、当該演算の商は考慮対象ではない。コンピュータプログラム設計においてはＭＯＤ演算があり、それは、１つの整数を別の整数で除算した後に結果の剰余を取得することを意味する。例えば、７を３で除算すると、商が２で剰余が１なので、７ｍｏｄ３＝１となる。剰余１がこのｍｏｄ演算の結果である。
【０１２８】
例えば、
Ｔ３＝５０、ｎ＝９、かつＤ＝１５の場合、マッピング値は４７であり、
この場合、Ｃｈａｎｎｅｌ＿ｉｎｄｅｘ＝ｆｌｏｏｒ（（マッピング値＋Ｄ）／６）＝ｆｌｏｏｒ（（４７＋１５）／６）＝１０，
Ｓｕｂ−Ｃｈａｎｎｅｌ＿ｉｎｄｅｘ＝ｍｏｄ（（マッピング値＋Ｄ），６）＝ｍｏｄ（（４７＋１５），６）＝２，
ゆえに、物理チャネルのフレーム番号は１０であり、サブフレーム番号は２である。
【０１２９】
２０４．複数の仮想チャネルインデックスの中のいずれかの仮想チャネルインデックスＤについて、基地局が、複数のサブフレームの各々におけるＤに対応する物理チャネルを、Ｄに基づいて決定する。ここで、複数のサブフレームにおける当該仮想チャネルインデックスに対応する物理チャネルのうちの少なくとも２つが異なる。
【０１３０】
本発明のこの実施形態において、基地局および端末デバイスは別々に、複数のサブフレームの全てにおける仮想チャネルインデックスに対応する異なる複数の物理チャネルを、仮想チャネルインデックスに基づいて計算してよい。しかしながら、端末デバイスは、仮想チャネルインデックスを選択した後、当該仮想チャネルインデックスに対応する物理チャネルを計算する必要しかなく、基地局はというと、複数の仮想チャネルインデックスを生成した後、複数の仮想チャネルインデックスの各々を計算して、複数の仮想チャネルインデックスに対応するサブフレーム群における異なる全ての物理チャネルを取得する場合がある、という点が違う。したがって、いくつかの実現可能な実施形態において、複数の仮想チャネルインデックスの中のいずれかの仮想チャネルインデックスＤと、Ｄに対応するサブフレーム群Ｚについて、基地局は、Ｚの中の任意のサブフレームにおけるＤに対応する物理チャネルを、Ｄに基づいて決定する。
【０１３１】
任意で、複数のサブフレームにおける複数の仮想チャネルインデックスに対応する物理チャネルにおいて、隣接する２つのサブフレームにおける同一の仮想チャネルインデックスに対応する物理チャネルは異なる。すなわち、任意で、各フレームにおいて通信が完了した後、端末デバイスおよび基地局は、物理チャネルを変更して通信する。
【０１３２】
任意で、サブフレームにおける複数の仮想チャネルインデックスのうちの任意の２つに対応する物理チャネルは異なる。すなわち、同一サブフレームでは、仮想チャネルインデックスが異なれば、対応する物理チャネルも異なる。
【０１３３】
いくつかの実現可能な実施形態において、取得された値が、予め設定されたアルゴリズムを使用して計算されて、サブフレームにおける仮想チャネルインデックスに対応する物理チャネルが取得されてよい。すなわち、物理チャネルは、サブフレームにおける仮想チャネルインデックスと一対一対応している。言い換えれば、所与のネットワーク容量内において、同一の決まった時間では、端末デバイスが異なれば、取得する周波数ホッピングチャネルが異なり得る。すなわち、直交性が満たされる。任意で、複数の仮想チャネルインデックスの各々に対応するサブフレーム群に基づいて、複数の仮想チャネルインデックスの中のいずれかの仮想チャネルインデックスＤについて、基地局は、Ｄに対応するサブフレーム群の各サブフレームにおけるＤに対応する物理チャネルを、Ｄに基づいて決定する。ここで、同一サブフレームにおける複数の仮想チャネルインデックスのうちの任意の２つに対応する物理チャネルは異なる。
【０１３４】
加えて、予め設定されたアルゴリズムを使用して、ランダム性が実装され得る。ランダム性とは、単一の端末デバイスが、決まった時間に、対応する決まった周波数ホッピングチャネルを取得し、時間が変化すると、周波数ホッピングチャネルの時間ベースの曲線パターンがランダムであり、全てのチャネルが等しい確率で選択されること、すなわち、複数のサブフレームにおける複数の仮想チャネルインデックスに対応する物理チャネルにおいて、隣接する２つのサブフレームにおける同一の仮想チャネルインデックスに対応する物理チャネルが異なることを意味する。
【０１３５】
２０５．端末デバイスが、複数のサブフレームのうちの少なくとも１つにおいて、仮想チャネルインデックスに対応する物理チャネルを使用して基地局と通信する。
【０１３６】
いくつかの実現可能な実施形態において、端末デバイスが複数のサブフレームの各々における選択された仮想チャネルインデックスに対応する物理チャネルを決定した後、サブフレームにおいてデータを送信すると決定したとき、端末デバイスは、当該物理チャネルを使用してよい。したがって、端末デバイスは、複数のサブフレームのうちの少なくとも１つにおいて、当該物理チャネルを使用して基地局と通信してよい。通信を行うことは、情報を送信すること、または情報を受信することを指してよく、このことは、本明細書において限定されないことに留意されたい。
【０１３７】
図４を参照すると、本発明の一実施形態は、さらに端末デバイス４００を提供する。端末デバイス４００は、基地局から複数の仮想チャネルインデックスを受信するよう構成され、具体的には、ブロードキャストメッセージまたは専用メッセージを使用して基地局から複数の仮想チャネルインデックスを受信するよう構成される送受信ユニット４０１と、複数の仮想チャネルインデックスから仮想チャネルインデックスを選択し、複数のサブフレームにおける当該仮想チャネルインデックスに対応する物理チャネルを、当該仮想チャネルインデックスに基づいて決定するよう構成される処理ユニット４０２であって、複数のサブフレームにおける当該仮想チャネルインデックスに対応する物理チャネルのうちの少なくとも２つが異なり、任意で、複数のサブフレームにおける複数の仮想チャネルインデックスに対応する物理チャネルにおいて、隣接する２つのサブフレームにおける同一の仮想チャネルインデックスに対応する物理チャネルは異なる、処理ユニット４０２とを備える。具体的には、仮想チャネルインデックスと複数のサブフレームの中の任意のサブフレームＳについて、予め設定されたアルゴリズムを使用して物理セル識別子およびＳが計算されて、４ビット値の第１の値Ｔ１が取得され、予め設定されたアルゴリズムを使用して、Ｔ１の４つのビットの値に対してビットの並べ替えが行われて、４ビット値の第２の値Ｔ２が取得され、予め設定されたアルゴリズムを使用してＴ２およびＳが計算されて、第３の値Ｔ３が取得され、予め設定されたアルゴリズムを使用してＴ３および仮想チャネルインデックスが計算されて、Ｓにおける当該仮想チャネルインデックスに対応する物理チャネルが取得される。
【０１３８】
送受信ユニット４０１はさらに、複数のサブフレームのうちの少なくとも１つにおいて、当該仮想チャネルインデックスに対応する物理チャネルを使用して、基地局と通信するよう構成される。
【０１３９】
図５を参照すると、本発明の一実施形態はさらに、基地局５００を提供する。基地局５００は、生成された複数の仮想チャネルインデックスを送信するよう構成される送受信ユニット５０１と、複数の仮想チャネルインデックスの中のいずれかの仮想チャネルインデックスＤについて、複数のサブフレームの各々におけるＤに対応する物理チャネルを、Ｄに基づいて決定し、複数の仮想チャネルインデックスのうちの１つである、端末デバイスが選択する仮想チャネルインデックスを決定するよう構成される処理ユニット５０２であって、異なるサブフレームにおけるＤに対応する物理チャネルのうちの少なくとも２つが異なる、処理ユニット５０２とを備える。
【０１４０】
任意で基地局５００は、複数の仮想チャネルインデックスの各々に基づいて、サブフレームにおける各仮想チャネルインデックスに対応する物理チャネルを決定してよく、当該サブフレームにおける複数の仮想チャネルインデックスのうちの任意の２つに対応する物理チャネルは異なる。
【０１４１】
任意で、複数の仮想チャネルインデックスの各々に対応するサブフレーム群に基づいて、複数の仮想チャネルインデックスの中のいずれかの仮想チャネルインデックスＤについて、基地局５００は、Ｄに対応するサブフレーム群の各サブフレームにおけるＤに対応する物理チャネルを、Ｄに基づいて決定し、同一サブフレームにおける複数の仮想チャネルインデックスのうちの任意の２つに対応する物理チャネルは異なる。
【０１４２】
具体的には、仮想チャネルインデックスと複数のサブフレームの中の任意のサブフレームＳとについて、予め設定されたアルゴリズムを使用して物理セル識別子およびＳが計算されて、４ビット値の第１の値Ｔ１が取得され、予め設定されたアルゴリズムを使用して、Ｔ１の４つのビットの値に対してビットの並べ替えが行われて、４ビット値の第２の値Ｔ２が取得され、予め設定されたアルゴリズムを使用してＴ２およびＳが計算されて、第３の値Ｔ３が取得され、予め設定されたアルゴリズムを使用してＴ３および仮想チャネルインデックスが計算されて、Ｓにおける仮想チャネルインデックスに対応する物理チャネルが取得される。
【０１４３】
送受信ユニット５０１はさらに、複数のサブフレームのうちの少なくとも１つにおいて、当該仮想チャネルインデックスに対応する物理チャネルを使用して端末デバイスと通信するよう構成される。
【０１４４】
図６を参照すると、本発明の一実施形態はさらに、基地局６００を提供する。基地局６００は、生成された複数の仮想チャネルインデックスを送信し、ブロードキャストメッセージまたは専用メッセージを使用して生成された複数の仮想チャネルインデックスを送信するよう構成される送受信ユニット６０１と、複数の仮想チャネルインデックスの各々に基づいて、サブフレームにおける各仮想チャネルインデックスに対応する物理チャネルを決定し、複数の仮想チャネルインデックスのうちの１つである、端末デバイスが選択する仮想チャネルインデックスを決定するよう構成される処理ユニット６０２であって、サブフレームにおける複数の仮想チャネルインデックスのうちの任意の２つに対応する物理チャネルは異なる、処理ユニット６０２とを備える。
【０１４５】
任意で、複数の仮想チャネルインデックスの中のいずれかの仮想チャネルインデックスＤについて、基地局６００は、Ｄに基づいて、複数のサブフレームの各々におけるＤに対応する物理チャネルを決定する。ここで、異なるサブフレームにおけるＤに対応する物理チャネルのうちの少なくとも２つが異なる。
【０１４６】
任意で、複数の仮想チャネルインデックスの各々に対応するサブフレーム群に基づいて、複数の仮想チャネルインデックスの中のいずれかの仮想チャネルインデックスＤについて、基地局６００は、Ｄに対応するサブフレーム群の各サブフレームにおけるＤに対応する物理チャネルを、Ｄに基づいて決定し、同一サブフレームにおける複数の仮想チャネルインデックスのうちの任意の２つに対応する物理チャネルは異なる。
【０１４７】
具体的には、仮想チャネルインデックスと複数のサブフレームの中の任意のサブフレームＳについて、予め設定されたアルゴリズムを使用して物理セル識別子およびＳが計算されて、４ビット値の第１の値Ｔ１が取得され、予め設定されたアルゴリズムを使用して、Ｔ１の４つのビットの値に対してビットの並べ替えが行われて、４ビット値の第２の値Ｔ２が取得され、予め設定されたアルゴリズムを使用してＴ２およびＳが計算されて、第３の値Ｔ３が取得され、予め設定されたアルゴリズムを使用してＴ３および仮想チャネルインデックスが計算されて、Ｓにおける当該仮想チャネルインデックスに対応する物理チャネルが取得される。
【０１４８】
送受信ユニット６０１はさらに、当該仮想チャネルインデックスに対応する物理チャネルを使用して、当該サブフレームにおいて端末デバイスと通信するよう構成される。
【０１４９】
図７を参照すると、本発明の一実施形態はさらに、端末デバイス７００を提供する。端末デバイス７００は、送受信機７０１およびプロセッサ７０２を備える。
【０１５０】
送受信機７０１は、基地局から複数の仮想チャネルインデックスを受信するよう構成される。
【０１５１】
プロセッサ７０２は、複数の仮想チャネルインデックスから仮想チャネルインデックスを選択し、複数のサブフレームにおける当該仮想チャネルインデックスに対応する物理チャネルを、当該仮想チャネルインデックスに基づいて決定するよう構成され、複数のサブフレームにおける当該仮想チャネルインデックスに対応する物理チャネルのうちの少なくとも２つが異なる。
【０１５２】
送受信機７０１はさらに、当該仮想チャネルインデックスに対応する物理チャネルを使用して、複数のサブフレームのうちの少なくとも１つにおいて基地局と通信するよう構成される。
【０１５３】
図８を参照すると、本発明の一実施形態はさらに、基地局８００を提供する。基地局８００は、送受信機８０１およびプロセッサ８０２を備える。
【０１５４】
送受信機８０１は、生成された複数の仮想チャネルインデックスを送信するよう構成される。
【０１５５】
プロセッサ８０２は、複数の仮想チャネルインデックスの中のいずれかの仮想チャネルインデックスＤについて、複数のサブフレームの各々におけるＤに対応する物理チャネルを、Ｄに基づいて決定するよう構成され、異なるサブフレームにおけるＤに対応する物理チャネルのうちの少なくとも２つが異なり、またプロセッサ８２０は、複数の仮想チャネルインデックスのうちの１つである、端末デバイスが選択する仮想チャネルインデックスを決定するよう構成される。
【０１５６】
送受信機８０１はさらに、当該仮想チャネルインデックスに対応する物理チャネルを使用して、複数のサブフレームのうちの少なくとも１つにおいて端末デバイスと通信するよう構成される。
【０１５７】
図９を参照すると、本発明の一実施形態はさらに、基地局９００を提供する。基地局９００は、送受信機９０１およびプロセッサ９０２を備える。
【０１５８】
送受信機９０１は、生成された複数の仮想チャネルインデックスを送信するよう構成される。
【０１５９】
プロセッサ９０２は、複数の仮想チャネルインデックスの各々に基づいて、サブフレームにおける各仮想チャネルインデックスに対応する物理チャネルを決定するよう構成され、当該サブフレームにおける複数の仮想チャネルインデックスのうちの任意の２つに対応する物理チャネルは異なり、またプロセッサ９０２は、複数の仮想チャネルインデックスのうちの１つである、端末デバイスが選択する仮想チャネルインデックスを決定するよう構成される。
【０１６０】
送受信機９０１はさらに、当該仮想チャネルインデックスに対応する物理チャネルを使用して、当該サブフレームにおいて端末デバイスと通信するよう構成される。
【０１６１】
当業者ならば明確に理解すると思われるが、説明を簡便かつ簡潔にする目的で、上述のシステム、装置、およびユニットの詳細な動作プロセスについては、上述の方法の実施形態の対応するプロセスを参照されたい。ここで再度詳細を説明することはしない。
【０１６２】
本出願において提供されたいくつかの実施形態では、開示されたシステム、装置、および方法が他の方式で実装され得ることを理解されたい。例えば、説明された装置の実施形態は、一例に過ぎない。例えば、ユニットの分割は、論理機能による分割に過ぎず、実際の実装においては他の分割も考えられる。例えば、複数のユニットもしくはコンポーネントが別のシステムに組み合わされ、もしくは統合されてよく、または、いくつかの特徴が無視され、もしくは行なわれなくてよい。加えて、表示または説明された相互接続または直接接続または通信接続は、いくつかのインタフェースを使用して実装されてよい。装置間またはユニット間の間接接続または通信接続は、電子的形態、機械的形態、または他の形態で実装されてよい。
【０１６３】
別個の部分として説明されたユニットは、物理的に別個であってもなくてもよい。また、ユニットとして表示された部分は、物理的なユニットであってもなくてもよく、一か所に位置していてよく、または、複数のネットワークユニットにおいて分散されていてよい。実施形態の解決手段の目的を実現するべく、実際の要件に基づいてユニットの一部または全部が選択されてよい。
【０１６４】
加えて、本発明の実施形態の機能ユニットは１つの処理ユニットに統合されてよく、または、当該ユニットの各々が物理的に単独で存在してよく、または、２つ以上のユニットが１つのユニットに統合される。統合されたユニットは、ハードウェア形態で実装されてよく、または、ソフトウェア機能ユニット形態で実装されてよい。
【０１６５】
統合されたユニットがソフトウェア機能ユニット形態で実装され、独立した製品として販売または使用されるとき、当該統合されたユニットは、コンピュータ可読記憶媒体に記憶されてよい。そのような理解に基づき、本発明の技術的解決手段は本質的に、または従来技術に寄与する部分は、または技術的解決手段の全部もしくは一部は、ソフトウェア製品形態で実装されてよい。ソフトウェア製品は、記憶媒体に記憶され、本発明の実施形態において説明された方法の段階の全部または一部を行うよう（パーソナルコンピュータ、サーバ、またはネットワークデバイスであってよい）コンピュータデバイスに命令するためのいくつかの命令を含む。上述の記憶媒体は、プログラムコードを記憶できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの任意の媒体を含む。
【０１６６】
上述の実施形態は、本発明の技術的解決手段を説明することを意図しているに過ぎず、本発明を限定することは意図していない。本発明が上述の実施形態に関連して詳細に説明されているが、当業者であれば、本発明の実施形態の技術的解決手段の主旨および範囲から逸脱することなく、さらに、上述の実施形態において説明された技術的解決手段に修正を加え、または、それらのいくつかの技術的特徴に対して等価な置き換えを行い得ることを当業者は理解するはずである。
【図１】
2019536378.tif 000006
【図２】
2019536378.tif 000007
【図３】
2019536378.tif 000008
【図４】
2019536378.tif 000009
【図５】
2019536378.tif 000010
【図６】
2019536378.tif 000011
【図７】
2019536378.tif 000012
【図８】
2019536378.tif 000013
【図９】
2019536378.tif 000014
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
周波数ホッピング通信方法であって、
端末デバイスが、基地局から複数の仮想チャネルインデックスを受信する段階と、
前記端末デバイスが、前記複数の仮想チャネルインデックスから仮想チャネルインデックスを選択する段階と、
前記端末デバイスが、複数のサブフレームにおける前記仮想チャネルインデックスに対応する物理チャネルを、前記仮想チャネルインデックスに基づいて決定する段階であって、前記複数のサブフレームにおける前記仮想チャネルインデックスに対応する前記物理チャネルのうちの少なくとも２つが異なる、決定する段階と、
前記端末デバイスが、前記複数のサブフレームのうちの少なくとも１つにおける前記仮想チャネルインデックスに対応する物理チャネルを使用して、前記基地局と通信する段階と
を備える
方法。
【請求項２】
前記端末デバイスが、前物理セル識別子、システムチャネル数の構成パラメータ、フレーム番号、サブフレーム番号、もしくはスーパーフレーム番号のうちの１つまたはそれらの任意の組み合わせと前記仮想チャネルインデックスとに基づいて、記複数のサブフレームにおける前記仮想チャネルインデックスに対応する前記物理チャネルをさらに決定する段階を備える
請求項１に記載の方法。
【請求項３】
前記複数のサブフレームにおける前記複数の仮想チャネルインデックスに対応する前記物理チャネルにおいて、隣接する２つのサブフレームにおける同一の仮想チャネルインデックスに対応する物理チャネルは異なる、
請求項１に記載の方法。
【請求項４】
前記端末デバイスが、基地局から複数の仮想チャネルインデックスを受信する前記段階は、
前記端末デバイスが、ブロードキャストメッセージまたは専用メッセージを使用して前記基地局から前記複数の仮想チャネルインデックスを受信する段階を有する、
請求項１に記載の方法。
【請求項５】
周波数ホッピング通信方法であって、
基地局が、生成された複数の仮想チャネルインデックスを送信する段階と、
前記基地局が、前記複数の仮想チャネルインデックスの中のいずれかの仮想チャネルインデックスＤについて、複数のサブフレームの各々における前記Ｄに対応する物理チャネルを、前記Ｄに基づいて決定する段階であって、異なるサブフレームにおける前記Ｄに対応する前記物理チャネルのうちの少なくとも２つが異なる、決定する段階と、
前記基地局が、前記複数の仮想チャネルインデックスのうちの１つである、端末デバイスが選択する仮想チャネルインデックスを決定する段階と、
前記基地局が、前記複数のサブフレームのうちの少なくとも１つにおける前記仮想チャネルインデックスに対応する前記物理チャネルを使用して、前記端末デバイスと通信する段階と
を備える
方法。
【請求項６】
前記基地局が、前記複数の仮想チャネルインデックスの各々に基づいて、サブフレームにおける各仮想チャネルインデックスに対応する物理チャネルを決定する段階であって、前記サブフレームにおける前記複数の仮想チャネルインデックスのうちの任意の２つに対応する前記物理チャネルは異なる、決定する段階
をさらに備える
請求項５に記載の方法。
【請求項７】
前記基地局が、前記複数の仮想チャネルインデックスの各々に基づいて、前記複数の仮想チャネルインデックスの各々に対応するサブフレーム群を決定する段階と、
前記基地局が、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定する段階と
をさらに備える
請求項６に記載の方法。
【請求項８】
前記基地局が、物理セル識別子、システムチャネル数の構成パラメータ、フレーム番号、サブフレーム番号、もしくはスーパーフレーム番号のうちの１つまたはそれらの任意の組み合わせと前記仮想チャネルインデックスとに基づいて、前記複数のサブフレームにおける全ての前記複数の仮想チャネルインデックスに対応する前記物理チャネルをさらに決定する段階
を備える
請求項５または６に記載の方法。
【請求項９】
前記複数のサブフレームにおける前記複数の仮想チャネルインデックスに対応する前記物理チャネルにおいて、隣接する２つのサブフレームにおける同一の仮想チャネルインデックスに対応する前記物理チャネルは異なる、
請求項５または６に記載の方法。
【請求項１０】
基地局が、生成された複数の仮想チャネルインデックスを端末デバイスに送信する前記段階は、
前記基地局が、ブロードキャストメッセージまたは専用メッセージを使用して、前記生成された複数の仮想チャネルインデックスを前記端末デバイスに送信する段階を有する、
請求項５または６に記載の方法。
【請求項１１】
周波数ホッピング通信方法であって、
基地局が、生成された複数の仮想チャネルインデックスを送信する段階と、
前記基地局が、前記複数の仮想チャネルインデックスの各々に基づいて、サブフレームにおける各仮想チャネルインデックスに対応する物理チャネルを決定する段階であって、前記サブフレームにおける前記複数の仮想チャネルインデックスのうちの任意の２つに対応する前記物理チャネルは異なる、決定する段階と、
前記基地局が、前記複数の仮想チャネルインデックスのうちの１つである、端末デバイスが選択する仮想チャネルインデックスを決定する段階と、
前記基地局が、前記仮想チャネルインデックスに対応する前記物理チャネルを使用して、前記サブフレームにおいて前記端末デバイスと通信する段階と
を備える
方法。
【請求項１２】
前記基地局が、前記複数の仮想チャネルインデックスの各々に基づいて、前記複数の仮想チャネルインデックスの各々に対応するサブフレーム群を決定する段階と、
前記基地局が、前記複数の仮想チャネルインデックスの中のいずれかの仮想チャネルインデックスＤについて、前記Ｄに対応するサブフレーム群Ｚの各サブフレームにおける前記Ｄに対応する物理チャネルを、前記Ｄに基づいて決定する段階であって、同一サブフレームにおける前記複数の仮想チャネルインデックスのうちの任意の２つに対応する物理チャネルは異なる、決定する段階と
をさらに備える
請求項１１に記載の方法。
【請求項１３】
前記複数の仮想チャネルインデックスの中のいずれかの仮想チャネルインデックスＤについて、異なるサブフレームにおける前記Ｄに対応する前記物理チャネルのうちの少なくとも２つが異なる、
請求項１１または１２に記載の方法。
【請求項１４】
複数の前記サブフレームにおける前記複数の仮想チャネルインデックスに対応する前記物理チャネルにおいて、隣接する２つのサブフレームにおける同一の仮想チャネルインデックスに対応する物理チャネルは異なることをさらに備える、
請求項１１または１２に記載の方法。
【請求項１５】
前記基地局が、物理セル識別子、システムチャネル数の構成パラメータ、サブフレーム番号、もしくはスーパーフレーム番号のうちの１つまたはそれらの任意の組み合わせと前記Ｄとに基づいて、前記Ｚの中の任意のサブフレームにおける前記Ｄに対応する物理チャネルをさらに決定する段階
をさらに備える
請求項１２に記載の方法。
【請求項１６】
基地局が、生成された複数の仮想チャネルインデックスを送信する前記段階は、前記基地局が、ブロードキャストメッセージまたは専用メッセージを使用して、前記生成された複数の仮想チャネルインデックスを送信する段階を有する、
請求項１１または１２に記載の方法。
【請求項１７】
基地局から複数の仮想チャネルインデックスを受信するよう構成される送受信ユニットと、
前記複数の仮想チャネルインデックスから仮想チャネルインデックスを選択し、複数のサブフレームにおける前記仮想チャネルインデックスに対応する物理チャネルを、前記仮想チャネルインデックスに基づいて決定するよう構成される処理ユニットであって、前記複数のサブフレームにおける前記仮想チャネルインデックスに対応する前記物理チャネルのうちの少なくとも２つが異なる、処理ユニットと
を備え、
前記送受信ユニットはさらに、前記仮想チャネルインデックスに対応する前記物理チャネルを使用して、前記複数のサブフレームのうちの少なくとも１つにおいて前記基地局と通信するよう構成される、
端末デバイス。
【請求項１８】
前記送受信ユニットは、
ブロードキャストメッセージまたは専用メッセージを使用して前記基地局から前記複数の仮想チャネルインデックスを受信するよう構成される、
請求項１７に記載の端末デバイス。
【請求項１９】
生成された複数の仮想チャネルインデックスを送信するよう構成される送受信ユニットと、
前記複数の仮想チャネルインデックスの中のいずれかの仮想チャネルインデックスＤについて、複数のサブフレームの各々における前記Ｄに対応する物理チャネルを、前記Ｄに基づいて決定し、前記複数の仮想チャネルインデックスのうちの１つである、端末デバイスが選択する仮想チャネルインデックスを決定するよう構成される処理ユニットであって、異なるサブフレームにおける前記Ｄに対応する前記物理チャネルのうちの少なくとも２つが異なる、処理ユニットと
を備え、
前記送受信ユニットはさらに、前記仮想チャネルインデックスに対応する前記物理チャネルを使用して、前記複数のサブフレームのうちの少なくとも１つにおいて、前記端末デバイスと通信するよう構成される、
基地局。
【請求項２０】
前記処理ユニットはさらに、
前記複数の仮想チャネルインデックスの各々に基づいて、サブフレームにおける各仮想チャネルインデックスに対応する物理チャネルを決定するよう構成され、前記サブフレームにおける前記複数の仮想チャネルインデックスのうちの任意の２つに対応する前記物理チャネルは異なる、
請求項１９に記載の基地局。
【請求項２１】
前記処理ユニットはさらに、
前記複数の仮想チャネルインデックスの各々に対応するサブフレーム群に基づいて、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定するよう構成され、同一サブフレームにおける前記複数の仮想チャネルインデックスのうちの任意の２つに対応する物理チャネルは異なる、
請求項１９に記載の基地局。
【請求項２２】
生成された複数の仮想チャネルインデックスを送信するよう構成される送受信ユニットと、
前記複数の仮想チャネルインデックスの各々に基づいて、サブフレームにおける各仮想チャネルインデックスに対応する物理チャネルを決定し、前記複数の仮想チャネルインデックスのうちの１つである、端末デバイスが選択する仮想チャネルインデックスを決定するよう構成される処理ユニットであって、前記サブフレームにおける前記複数の仮想チャネルインデックスのうちの任意の２つに対応する前記物理チャネルは異なる、処理ユニットと
を備え、
前記送受信ユニットはさらに、前記仮想チャネルインデックスに対応する前記物理チャネルを使用して、前記サブフレームにおいて前記端末デバイスと通信するよう構成される、
基地局。
【請求項２３】
前記処理ユニットはさらに、
前記複数の仮想チャネルインデックスの各々に対応するサブフレーム群に基づいて、前記複数の仮想チャネルインデックスの中のいずれかの仮想チャネルインデックスＤについて、前記Ｄに対応するサブフレーム群の各サブフレームにおける前記Ｄに対応する物理チャネルを、前記Ｄに基づいて決定するよう構成され、同一サブフレームにおける前記複数の仮想チャネルインデックスのうちの任意の２つに対応する物理チャネルは異なる、
請求項２２に記載の基地局。
【請求項２４】
前記複数の仮想チャネルインデックスの中のいずれかの仮想チャネルインデックスＤについて、異なるサブフレームにおける前記Ｄに対応する前記物理チャネルのうちの少なくとも２つが異なる、
請求項２２に記載の基地局。
【請求項２５】
前記送受信ユニットはさらに、ブロードキャストメッセージまたは専用メッセージを使用して、前記生成された複数の仮想チャネルインデックスを送信するよう構成される、
請求項２２に記載の基地局。
【請求項２６】
命令を含むコンピュータプログラムであって、コンピュータによって前記コンピュータプログラムが実行されると、前記命令は、請求項１から１６のいずれか一項に記載の方法を前記コンピュータに実行させる
コンピュータプログラム。
【手続補正２】
【補正対象書類名】明細書
【補正対象項目名】００２３
【補正方法】変更
【補正の内容】
【００２３】
当該サブフレームにおける任意の２つの仮想チャネルインデックスに対応する物理チャネルは異なるので、各サブフレームにおける仮想チャネルインデックスに対応する取得された物理チャネルは、直交性を満たし得る。したがって、チャネルリソースが全て使用され、その結果、基地局は、可能な限り多くの端末デバイスと通信することができる。
【手続補正３】
【補正対象書類名】明細書
【補正対象項目名】００３３
【補正方法】変更
【補正の内容】
【００３３】
当該サブフレームにおける任意の２つの仮想チャネルインデックスに対応する物理チャネルは異なるので、各サブフレームにおける仮想チャネルインデックスに対応する取得された物理チャネルは、直交性を満たし得る。したがって、チャネルリソースが全て使用され、その結果、基地局は、可能な限り多くの端末デバイスと通信することができる。
【手続補正４】
【補正対象書類名】明細書
【補正対象項目名】００３５
【補正方法】変更
【補正の内容】
【００３５】
当該サブフレームにおける任意の２つの仮想チャネルインデックスに対応する物理チャネルは異なるので、各サブフレームにおける仮想チャネルインデックスに対応する取得された物理チャネルは、直交性を満たし得る。したがって、チャネルリソースが全て使用され、その結果、基地局は、可能な限り多くの端末デバイスと通信することができる。
【手続補正５】
【補正対象書類名】明細書
【補正対象項目名】００３６
【補正方法】変更
【補正の内容】
【００３６】
当該サブフレームにおける任意の２つの仮想チャネルインデックスに対応する物理チャネルは異なるので、各サブフレームにおける仮想チャネルインデックスに対応する取得された物理チャネルは、直交性を満たし得る。したがって、チャネルリソースが全て使用され、その結果、基地局は、可能な限り多くの端末デバイスと通信することができる。
【手続補正６】
【補正対象書類名】明細書
【補正対象項目名】００７５
【補正方法】変更
【補正の内容】
【００７５】
いくつかの実現可能な実施形態では、基地局は、ベースバンドユニットＢＢＵと、アンテナ給電システム（アンテナ）に接続された無線リモートユニットＲＲＵとを備えてよい。
【手続補正７】
【補正対象書類名】明細書
【補正対象項目名】００７６
【補正方法】変更
【補正の内容】
【００７６】
本発明の実施形態において使用される端末デバイスは、ユーザに音声および／またはデータの接続を提供するデバイス、無線接続機能を有するハンドヘルドデバイス、または、無線モデムに接続された別の処理デバイスであってよい。無線端末デバイスは、無線アクセスネットワーク（ＲＡＮ、Ｒａｄｉｏ  Ａｃｃｅｓｓ  Ｎｅｔｗｏｒｋ）を使用して、１または複数のコアネットワークと通信してよい。無線端末デバイスは、音声および／またはデータを無線アクセスネットワークと交換する、携帯電話（もしくは「セルラ」電話と称される）などのモバイル端末デバイスか、または、例えば、ポータブルの、ポケットサイズの、ハンドヘルドの、コンピュータ内蔵の、もしくは車載のモバイル装置といった、モバイル端末デバイスを備えたコンピュータであってよい。例えば、無線端末デバイスは、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、無線ローカルループ（ＷＬＬ、Ｗｉｒｅｌｅｓｓ  Ｌｏｃａｌ  Ｌｏｏｐ）局、またはパーソナルデジタルアシスタント（ＰＤＡ、Ｐｅｒｓｏｎａｌ  Ｄｉｇｉｔａｌ  Ａｓｓｉｓｔａｎｔ）などのデバイスであってよい。無線端末デバイスはまた、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末デバイス（Ｒｅｍｏｔｅ  Ｔｅｒｍｉｎａｌ  Ｄｅｖｉｃｅ）、アクセス端末デバイス（Ａｃｃｅｓｓ  Ｔｅｒｍｉｎａｌ  Ｄｅｖｉｃｅ）、ユーザ端末デバイス（Ｕｓｅｒ  Ｔｅｒｍｉｎａｌ  Ｄｅｖｉｃｅ）、端末デバイス、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称されてよい。
【手続補正８】
【補正対象書類名】明細書
【補正対象項目名】００８４
【補正方法】変更
【補正の内容】
【００８４】
いくつかの実現可能な実施形態では、周波数ホッピングは、最も一般に使用されるスペクトル拡散方式の１つである。周波数ホッピングの動作原理は、受信側および送信側が信号送信に使用するキャリア周波数が、予め決定されたルールにしたがって離散的に変更されるというもの、すなわち、通信に使用されるキャリア周波数が疑似ランダム変更コードの制御下でランダムにホップするというものである。周波数ホッピングに使用される技術は、周波数ホッピング技術（Ｆｒｅｑｕｅｎｃｙ  Ｈｏｐｐｉｎｇ  Ｓｐｒｅａｄ  Ｓｐｅｃｔｒｕｍ、ＦＨＳＳ）と称され、それは、受信側および送信側が、非特定の受信者に対して、特定の種類の狭帯域のキャリアを同時に使用することを意味する。
【手続補正９】
【補正対象書類名】明細書
【補正対象項目名】０１２１
【補正方法】変更
【補正の内容】
【０１２１】
この段階では、入力パラメータは、Ｔ３とシステムチャネル数の構成パラメータｎと仮想チャネルインデックスＤとを含み、出力パラメータは、チャネルインデックス番号とサブチャネルインデックス番号とを含む。
【手続補正１０】
【補正対象書類名】明細書
【補正対象項目名】０１２４
【補正方法】変更
【補正の内容】
【０１２４】
本発明のこの実施形態では、ｎは、システムチャネル数のチャネル構成パラメータであり、入力仮想チャネルインデックスに対応する物理チャネルのチャネル番号（Ｃｈａｎｎｅｌ＿ｉｎｄｅｘ）およびサブチャネル番号（Ｓｕｂ−Ｃｈａｎｎｅｌ＿ｉｎｄｅｘ）が取得され、次式を使用して計算される。
Ｃｈａｎｎｅｌ＿ｉｎｄｅｘ＝ｆｌｏｏｒ（（マッピング値＋Ｄ）／６），
Ｓｕｂ−Ｃｈａｎｎｅｌ＿ｉｎｄｅｘ＝ｍｏｄ（（マッピング値＋Ｄ），６）
【国際調査報告】
2019536378.tif 000015
2019536378.tif 000016
2019536378.tif 000017
2019536378.tif 000018